(57)【要約】【課題】ＦＤ−ＭＩＭＯにおいてリファレンス信号がビームフォーミングされることにより通信処理を効率化することが可能な端末装置を提供する。【解決手段】無線通信装置から複数のビームでビームフォーミングされたリファレンス信号のアンテナポートのうち、一部のアンテナポートを選択し、選択したアンテナポートにおけるチャネルの状態を前記無線通信装置へ報告するチャネル状態報告を生成する制御部を備える、端末装置が提供される。【選択図】図１２
2017050758.tif 000002
【特許請求の範囲】
【請求項１】
無線通信装置から複数のビームでビームフォーミングされたリファレンス信号のアンテナポートのうち、一部のアンテナポートを選択し、選択したアンテナポートにおけるチャネルの状態を前記無線通信装置へ報告するチャネル状態報告を生成する制御部を備える、端末装置。
【請求項２】
前記制御部は、前記無線通信装置が複数のビームで送信するビームフォーミングされた前記リファレンス信号のアンテナポートのうち、一部のアンテナポートを選択し、選択したアンテナポートにおけるチャネル状態報告及びアンテナポート選択情報を前記無線通信装置に報告する、請求項１に記載の端末装置。
【請求項３】
前記制御部は、Uplink Control Information(UCI)を使用して前記アンテナポート選択情報を前記無線通信装置に報告する、請求項２に記載の端末装置。
【請求項４】
前記制御部は、RRC(Radio Resource Control)メッセージで前記アンテナポート選択情報を前記無線通信装置に報告する、請求項２に記載の端末装置。
【請求項５】
前記制御部は、前記無線通信装置で選択された前記アンテナポートに関するリファレンス信号構成情報の中からリファレンス信号構成情報を選択し、当該アンテナポートにおける前記チャネル状態報告を生成する、請求項１に記載の端末装置。
【請求項６】
前記制御部は、複数のリファレンス信号構成情報で構成されたプロセス情報を受信して、前記複数のリファレンス信号構成情報に示される複数のアンテナポートに関する１つの前記チャネル状態報告を生成する、請求項１に記載の端末装置。
【請求項７】
前記制御部は、前記無線通信装置からビームフォーミングされたリファレンス信号のレポートモードであることがRRCシグナリングで通知された場合に、選択したアンテナポートの前記チャネル状態報告を生成する、請求項１に記載の端末装置。
【請求項８】
前記制御部は、前記無線通信装置からビームフォーミングされたリファレンス信号のレポートモードであることをRRCシグナリングでの通知により判別し、選択したアンテナポートの前記チャネル状態報告を生成する、請求項１に記載の端末装置。
【請求項９】
複数のビームでビームフォーミングしたリファレンス信号の全てのアンテナポートのうち、一部のアンテナポートにおけるチャネルの状態を報告するチャネル状態報告を端末装置から取得し、前記端末装置へのダウンリンクデータを、前記端末装置で選択されたアンテナポートを使用してビームフォーミングさせる制御部を備える、無線通信装置。
【請求項１０】
前記制御部は、前記アンテナポートに関するリファレンス信号構成情報の中から前記端末装置で選択されたアンテナポートにおける前記チャネル状態報告を前記端末装置から取得する、請求項９に記載の無線通信装置。
【請求項１１】
前記制御部は、前記端末装置ごとに一部の前記アンテナポートを選択し、選択した前記アンテナポートに関するリファレンス信号構成情報を前記端末装置に通知する、請求項９に記載の無線通信装置。
【請求項１２】
選択された前記アンテナポートに関する前記リファレンス信号構成情報は、ビームフォーミングされた前記リファレンス信号の全ての前記アンテナポートの構成情報と、前記制御部によるアンテナポートの選択情報とで構成される、請求項１１に記載の無線通信装置。
【請求項１３】
選択された前記アンテナポートに関する前記リファレンス信号構成情報は、複数の選択された前記アンテナポートに関するリファレンス信号構成情報である、請求項１１に記載の無線通信装置。
【請求項１４】
選択された前記アンテナポートに関する前記リファレンス信号構成情報は、複数の選択された前記アンテナポートに関するリファレンス信号構成情報で構成されたプロセス情報である、請求項１１に記載の無線通信装置。
【請求項１５】
前記制御部は、選択した前記アンテナポートに関するリファレンス信号構成情報を前記端末装置にRRCメッセージで通知する、請求項９に記載の無線通信装置。
【請求項１６】
前記制御部は、ビームフォーミングされたリファレンス信号のレポートモードであることをRRCシグナリングで通知する、請求項９に記載の無線通信装置。
【請求項１７】
複数のビームでリファレンス信号をビームフォーミングする無線通信装置から送信されたリファレンス信号構成情報に関するリファレンス信号の受信電力または受信品質を含んだ測定を行い、所定のトリガイベントの条件を満たした場合に前記無線通信装置に測定結果を送信する制御部を備える、端末装置。
【請求項１８】
前記制御部は、前記リファレンス信号構成情報で構成されているアンテナポートから送信されるリファレンス信号の内、最大の受信電力を前記測定結果に含める、請求項１７に記載の端末装置。
【請求項１９】
前記制御部は、前記リファレンス信号構成情報で構成されているアンテナポートから送信されるリファレンス信号の内、選択したアンテナポートから送信されるリファレンス信号の受信電力を最大とする重み係数を掛けることを想定して計算した受信電力を前記測定結果に含める、請求項１７に記載の端末装置。
【請求項２０】
前記制御部は、前記選択したアンテナポートの情報を前記測定結果に含める、請求項１９に記載の端末装置。
【請求項２１】
前記制御部は、サービングセルのセル固有リファレンス信号の受信電力または受信品質を該サービングセルの測定対象とし、ゼロパワーではないリファレンス信号構成情報で通知されたリファレンス信号の受信電力または受信品質を隣接セルの測定対象とする、請求項１７に記載の端末装置。
【請求項２２】
前記制御部は、サービングセルのセル固有リファレンス信号の受信電力または受信品質を該サービングセルの測定対象とし、ビームフォーミングされたリファレンス信号の受信電力または受信品質を隣接セルの測定対象とする、請求項１７に記載の端末装置。
【請求項２３】
前記制御部は、ゼロパワーではないリファレンス信号構成情報で通知されたリファレンス信号の受信電力または受信品質をサービングセルの測定対象とする、請求項１７に記載の端末装置。
【請求項２４】
前記制御部は、サービングセルのセル固有リファレンス信号の受信電力または受信品質を隣接セルの測定対象とする、請求項２３に記載の端末装置。
【請求項２５】
前記制御部は、隣接セルのセル固有リファレンス信号の受信電力または受信品質を隣接セルの測定対象とする、請求項２３に記載の端末装置。
【請求項２６】
前記制御部は、ゼロパワーではないリファレンス信号構成情報で通知されたリファレンス信号の受信電力をサービングセルの測定対象とし、ゼロパワーのリファレンス信号構成情報または干渉計測構成情報で通知されたリファレンス信号の受信電力を隣接セルの測定対象とする、請求項１７に記載の端末装置。
【請求項２７】
前記制御部は、ゼロパワーではないリファレンス信号構成情報で通知されたリファレンス信号の受信電力の測定値と、ゼロパワーのリファレンス信号構成情報または干渉計測構成情報で通知されたリファレンス信号の受信電力の測定値と、から前記受信品質を計算する、請求項１７に記載の端末装置。
【請求項２８】
前記制御部は、リファレンス信号の構成ＩＤを前記測定結果に含める、請求項１７に記載の端末装置。
【請求項２９】
自らが複数のビームでビームフォーミングしたリファレンス信号の構成情報と、隣接セルが複数のビームでビームフォーミングするリファレンス信号の構成情報とを、接続状態にある端末装置に通知する制御部を備える、無線通信装置。
【請求項３０】
前記制御部は、自らが複数のビームでビームフォーミングしたリファレンス信号の構成情報をゼロパワーではないリファレンス信号構成情報で前記端末装置に通知し、隣接セルがビームフォーミングするリファレンス信号の構成情報をゼロパワーのリファレンス信号構成情報または干渉計測構成情報で前記端末装置に通知する、請求項２９に記載の無線通信装置。
【請求項３１】
前記制御部は、隣接セルがビームフォーミングするリファレンス信号に関する測定結果を前記端末装置から取得し、該端末装置に対するハンドオーバ処理を行う、請求項２９に記載の無線通信装置。
【請求項３２】
前記制御部は、隣接セルがビームフォーミングするリファレンス信号に関する測定結果を前記端末装置から取得し、前記隣接セルとの間でスケジューリング調整処理を行う、請求項２９に記載の無線通信装置。
【発明の詳細な説明】
【技術分野】
【０００１】
本開示は、端末装置及び無線通信装置に関する。
【背景技術】
【０００２】
近年のデータトラフィックの急増に対して、無線アクセスの能力向上が急務となっている。高速で大容量の無線アクセスネットワークの実現のため、ＵＨＦ（Ｕｌｔｒａ  Ｈｉｇｈ  Ｆｒｅｑｕｅｎｃｙ）帯の比較的低い周波数を使用するマクロセルと、比較的高い周波数を使用するスモールセルとをオーバーレイして配置することが検討されており、高周波帯を使用するスモールセルでは、大きな伝搬損失を補償するＦｕｌｌ−Ｄｉｍｅｎｓｉｏｎ  （ＦＤ）  ＭＩＭＯ（Ｍｕｌｔｉ−Ｉｎｐｕｔ  Ｍｕｌｔｉ−Ｏｕｔｐｕｔ）が検討されている。ＦＤ−ＭＩＭＯは、基地局アンテナを水平及び垂直方向の２次元に配置してＭＩＭＯ通信を行う技術である（例えば特許文献１等参照）。
【先行技術文献】
【特許文献】
【０００３】
【特許文献１】特開２０１５−１０９６９２号公報
【発明の概要】
【発明が解決しようとする課題】
【０００４】
多くのアンテナ素子で構成するアレーアンテナを用いて鋭いビームを形成して信号を送信するＦＤ−ＭＩＭＯにおいて、多くのリファレンス信号を送る際のオーバーヘッドや、基地局と端末との処理の増大、基地局のコスト増大等を考慮し、サブアレー方式の構成やビームフォーミングされたリファレンス信号の採用などが検討されている。
【０００５】
そこで、本開示では、ＦＤ−ＭＩＭＯにおいてリファレンス信号がビームフォーミングされることにより通信処理を効率化することが可能な、新規かつ改良された端末装置及び無線通信装置を提案する。
【課題を解決するための手段】
【０００６】
本開示によれば、無線通信装置から複数のビームでビームフォーミングされたリファレンス信号のアンテナポートのうち、一部のアンテナポートを選択し、選択したアンテナポートにおけるチャネルの状態を前記無線通信装置へ報告するチャネル状態報告を生成する制御部を備える、端末装置が提供される。
【０００７】
また本開示によれば、複数のビームでビームフォーミングしたリファレンス信号の全てのアンテナポートのうち、一部のアンテナポートにおけるチャネルの状態を報告するチャネル状態報告を端末装置から取得し、前記端末装置へのダウンリンクデータを、前記端末装置で選択されたアンテナポートを使用してビームフォーミングさせる制御部を備える、無線通信装置が提供される。
【０００８】
また本開示によれば、複数のビームでリファレンス信号をビームフォーミングする無線通信装置から送信されたリファレンス信号構成情報に関するリファレンス信号の受信電力または受信品質を含んだ測定を行い、所定のトリガイベントの条件を満たした場合に前記無線通信装置に測定結果を送信する制御部を備える、端末装置が提供される。
【０００９】
また本開示によれば、自らが複数のビームでビームフォーミングしたリファレンス信号の構成情報と、隣接セルが複数のビームでビームフォーミングするリファレンス信号の構成情報とを、接続状態にある端末装置に通知する制御部を備える、無線通信装置が提供される。
【発明の効果】
【００１０】
以上説明したように本開示によれば、ＦＤ−ＭＩＭＯにおいてリファレンス信号がビームフォーミングされることにより通信処理を効率化することが可能な、新規かつ改良された端末装置及び無線通信装置を提供することが出来る。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】ＦＤ−ＭＩＭＯの使用例を示す説明図である。
【図２】ＴＸＲＵの接続例を示す説明図である。
【図３】６４素子のアンテナアレーと１６個のＴＸＲＵによるアンテナアレーの構成例を示す説明図である。
【図４】セル固有重み行列と、端末固有重み行列とによって鋭いＰＤＳＣＨビームが生成される例を示す説明図である。
【図５】ＴＸＲＵから放射されるビームパターンの例を示す説明図である。
【図６】ＰＤＳＣＨのビームの例を示す説明図である。
【図７】ＲＲＣ＿ＣＯＮＮＥＣＴＥＤ状態の端末がサービングマクロセルの中を移動する様子の例を示す説明図である。
【図８】ＲＲＣ＿ＣＯＮＮＥＣＴＥＤ状態の端末がサービングマクロセルの中を移動する様子の例を示す説明図である。
【図９】ＲＲＣ＿ＣＯＮＮＥＣＴＥＤ状態の端末がサービングマクロセルの中を移動する様子の例を示す説明図である。
【図１０】同じビルに複数のセルからＦＤ−ＭＩＭＯのビームが向けられている例を示す説明図である。
【図１１】本開示の実施形態に係る通信システム１の概略的な構成の一例を示す説明図である。
【図１２】本開示の実施形態に係る端末装置１００の構成の一例を示すブロック図である。
【図１３】本開示の実施形態に係る基地局２００の機能構成例を示すブロック図である。
【図１４】本開示の実施形態に係る制御エンティティ３００の機能構成例を示すブロック図である。
【図１５】基地局２００のアンテナ部２１０の構成例を示す説明図である。
【図１６】図１５のように構成されたアンテナ部２１０から送信されるＣＳＩ−ＲＳビームの例を示す説明図である。
【図１７】本開示の一実施形態に係る端末装置１００及び基地局２００の動作例を示す流れ図である。
【図１８】本開示の一実施形態に係る端末装置１００及び基地局２００の動作例を示す流れ図である。
【図１９】１６アンテナポートの場合を追加したＣＳＩ  Ｒｅｆｅｒｅｎｃｅ  Ｓｉｇｎａｌ  Ｃｏｎｆｉｇｕｒａｔｉｏｎ  １の例を示す説明図である。
【図２０】本実施形態に係る基地局２００の動作例を示す流れ図である。
【図２１】本実施形態に係る基地局２００の動作例を示す流れ図である。
【図２２Ａ】本実施形態に係る端末装置１００の動作例を示す流れ図である。
【図２２Ｂ】本実施形態に係る端末装置１００の動作例を示す流れ図である。
【図２３】本開示に係る技術が適用され得るサーバ７００の概略的な構成の一例を示すブロック図である。
【図２４】本開示に係る技術が適用され得るｅＮＢの概略的な構成の第１の例を示すブロック図である。
【図２５】本開示に係る技術が適用され得るｅＮＢの概略的な構成の第２の例を示すブロック図である。
【図２６】本開示に係る技術が適用され得るスマートフォン９００の概略的な構成の一例を示すブロック図である。
【図２７】本開示に係る技術が適用され得るカーナビゲーション装置９２０の概略的な構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の実施の形態
１．１．背景
１．２．構成例
１．２．１．通信システムの構成例
１．２．２．端末装置の構成例
１．２．３．基地局の構成例
１．２．４．制御エンティティの構成例
１．３．動作例
２．応用例
３．まとめ
【００１５】
＜１．本開示の実施の形態＞
［１．１．背景］
まず、本開示の実施の形態について詳細に説明する前に、本開示の実施の形態の背景について説明する。
【００１６】
近年の無線通信環境は、データトラフィックの急増に直面している。そして、データトラフィックの急増に対して、無線アクセスの能力向上が急務となっている。高速で大容量の無線アクセスネットワークの実現のため、ＵＨＦ（Ｕｌｔｒａ  Ｈｉｇｈ  Ｆｒｅｑｕｅｎｃｙ）帯の比較的低い周波数を使用するマクロセルと、比較的高い周波数を使用するスモールセルとをオーバーレイして配置することが検討されており、高周波帯を使用するスモールセルでは、大きな伝搬損失を補償するＦｕｌｌ−Ｄｉｍｅｎｓｉｏｎ  （ＦＤ）  ＭＩＭＯ（Ｍｕｌｔｉ−Ｉｎｐｕｔ  Ｍｕｌｔｉ−Ｏｕｔｐｕｔ）が検討されている。ＦＤ−ＭＩＭＯは、基地局アンテナを水平及び垂直方向の２次元に配置してＭＩＭＯ通信を行う技術である。
【００１７】
ＦＤ−ＭＩＭＯは、多くのアンテナ素子を二次元に配置するアレーアンテナによって鋭いビームをビルの高層階に向けることも可能となり、チルト角ごとにセクタ化されたビームを使用するなどしてビルのカバレッジを改善するユースケースも検討されている。図１は、ＦＤ−ＭＩＭＯの使用例を示す説明図である。図１には、ビルに向けて４方向のビームを放射することでビルのカバレッジを改善し、ビルの中にある端末（Ｕｓｅｒ  Ｅｑｕｉｐｍｅｎｔ；ＵＥ）の受信効率を改善させるユースケースの例が示されている。
【００１８】
多くのアンテナ素子で構成するアレーアンテナを用いて鋭いビームを形成し信号を送信するＦＤ−ＭＩＭＯにおいて、多くのリファレンスシグナルを送る際のオーバーヘッド、基地局と端末の処理の増大、基地局の無線装置のコスト増大等に対処するため、サブアレー方式のＦＤ−ＭＩＭＯ構成やビームフォーミングされたリファレンスシグナルの採用などが検討されている。
【００１９】
ＦＤ−ＭＩＭＯでは、アンテナアレーを構成するアンテナ素子数が非常に大きい。そのため、複数個のアンテナ素子に信号を供給するトランシーバーユニット（ＴＸＲＵ）と各アンテナ素子間にアナログの固定の移相器を置いて構成する事で、ベースバンド（ｂａｓｅｂａｎｄ：ＢＢ）回路を簡略化し無線機のコストを低減することが検討されている（３ＧＰＰ  ＴＲ３６．８９７  ｖ０．１．１）。また複数個のアンテナ素子に信号を供給するトランシーバーユニット（ＴＸＲＵ）と各アンテナ素子間にアナログの固定の移相器を置いて構成する事で、全てのアンテナ素子に対する重み係数の調整に比べて、鋭いビームを維持しながらユーザ毎に調整する重み行列のサイズが限定され、処理が軽くなる。
【００２０】
図２は、ＴＸＲＵの接続例を示す説明図である。例えばＭ×Ｎのアンテナ素子で構成されるアンテナアレーにおいて、垂直方向のＭ個のアンテナ素子をサブアレーに分けてＴＸＲＵと接続する場合、垂直方向のＴＸＲＵの個数をＭＴＸＲＵとすると、ＴＸＲＵの全数量はＭＴＸＲＵ×Ｎとなる。ＴＸＲＵから放射されるビームのチルト角をθｅｔｉｌｔとするとＴＸＲＵとアンテナ素子間のｗは以下の数式１で表される。
【００２１】
【数１】
2017050758.tif 000003
【００２２】
図３は、６４素子のアンテナアレーと１６個のＴＸＲＵによるアンテナアレーの構成例を示す説明図である。１６個のＴＸＲＵは、セル固有重み行列を通して１６個のサブアレーに１対１で接続される。垂直方向には２つのサブアレーとＴＸＲＵが配置されており、この垂直方向の２つのＴＸＲＵが使用する重み係数Ｗ１〜Ｗ４とＷ５〜Ｗ８は異なっており、異なる方向へのビームを生成する。水平方向（コラム方向）には８個のサブアレーとＴＸＲＵが配置されており、この水平方向の８個のＴＸＲＵは同じ重み行列を使用し、同じ方向へのビームを生成する。
【００２３】
図４は、セル固有重み行列と、端末固有重み行列とによって鋭いＰＤＳＣＨ（Ｐｈｙｓｉｃａｌ  Ｄｏｗｎｌｉｎｋ  Ｓｈａｒｅｄ  Ｃｈａｎｎｅｌ）ビームが生成される例を示す説明図である。基地局２００は、ＰＤＳＣＨとＤＭ−ＲＳ（復調基準信号）とをリソースエレメントにマッピングし、端末固有の重み係数Ｗ１，１、Ｗ２，１、Ｗ１，２、Ｗ２，２、Ｗ１，３、Ｗ２，３、Ｗ１，４、Ｗ２，４、Ｗ１，５、Ｗ２，５、Ｗ１，６、Ｗ２，６、Ｗ１，７、Ｗ２，７、Ｗ１，８、Ｗ２，８を与え、ＴＸＲＵ１〜ＴＸＲＵ１６を通じて１６個のサブアレーからそれぞれ放射する。
【００２４】
図５は、Ｍ＝８、Ｎ＝８の６４素子のアンテナアレーで、ＭＴＸＲＵ＝２の場合における、ＴＸＲＵから放射されるビームパターンの例を示す説明図である。図６は、ＰＤＳＣＨのビームの例を示す説明図である。各ＴＸＲＵに適切な重みを挿入するプリウェイトを置けば、ＰＤＳＣＨのビームは図６のように鋭くなる。例えば、基地局は、端末が送信するＳｏｕｎｄｉｎｇ  Ｒｅｆｅｒｅｎｃｅ  Ｓｉｇｎａｌ（ＳＲＳ）から端末の方角を推定することができるとともに、ＰＤＳＣＨのビームが最適な向きとなるよう、ＴＸＲＵの前段に置くプリウェイトを調節できる。
【００２５】
（従来のチャネル推定用リファレンスシグナル）
ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）は、変調方式の決定、ＭＩＭＯおよびビームフォーミングのアンテナ重み係数の決定などの、ダウンリンクのチャネル推定のためのリファレンスシグナルである。端末は、基地局からＣＳＩ−ＲＳを受信し、ＣＳＩ−ＲＳの受信に応じて、チャネル推定結果をチャネル状態報告として基地局に報告する。ＣＳＩ−ＲＳを構成するリファレンスシグナルの数（１，２，４，８）に応じてアンテナポート１５〜２２が使用される。
【００２６】
ＣＳＩ−ＲＳが送信されるアンテナポート、ＣＳＩ−ＲＳが挿入されるリソースエレメントの位置、ＣＳＩ−ＲＳが挿入されるサブフレームに関する情報などは、端末にＲＲＣシグナリングで通知されるＣＳＩ  Ｒｅｆｅｒｅｎｃｅ  Ｓｉｇｎａｌ  Ｃｏｎｆｉｇｕｒａｔｉｏｎ（ＣＳＩ−ＲＳ構成情報）によって通知される。
【００２７】
ＣＳＩ  Ｒｅｆｅｒｅｎｃｅ  Ｓｉｇｎａｌ  Ｃｏｎｆｉｇｕｒａｔｉｏｎには、Ａｎｔｅｎｎａ  ｐｏｒｔ  ｃｏｕｎｔ，ＣＳＩ  ｒｅｆｅｒｅｎｃｅ  Ｓｉｇｎａｌ  ｃｏｎｆｉｇｕｒａｔｉｏｎ，Ｓｕｂｆｒａｍｅ  ｃｏｎｆｉｇｕｒａｔｉｏｎなどが含まれる。
【００２８】
Ａｎｔｅｎｎａ  ｐｏｒｔ  ｃｏｕｎｔは、ＣＳＩ−ＲＳを構成するアンテナポートの数（１，２，４または８）を示す。
【００２９】
ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるルックアップテーブルで、ＣＳＩ−ＲＳが使うリソースエレメント（ｋ，ｌ）とタイムスロットとが決まる。８アンテナポートの場合にはアンテナポート１５，１６のリソースエレメントがルックアップテーブルで規定され、その他のアンテナポートが使用するリソースエレメントの周波数オフセット値が表１のようになる。
【００３０】
【表１】
2017050758.tif 000004
【００３１】
Ｓｕｂｆｒａｍｅ  ｃｏｎｆｉｇｕｒａｔｉｏｎは０〜１５４の値で示され、３ＧＰＰ  ＴＳ３６．２１１  ｔａｂｌｅ６．１０．５．３−１に規定されるルックアップテーブルでＣＳＩ−ＲＳ  ｐｅｒｉｏｄｉｃｉｔｙとＣＳＩ−ＲＳ  ｓｕｂｆｒａｍｅ  ｏｆｆｓｅｔを与える。リリース１２では、端末に３個までのＣＳＩ  Ｒｅｆｅｒｅｎｃｅ  Ｓｉｇｎａｌ  ｃｏｎｆｉｇｕｒａｔｉｏｎを割り当てることができる。
【００３２】
しかし、端末は基地局から通知されたＣＳＩ  Ｒｅｆｅｒｅｎｃｅ  Ｓｉｇｎａｌ  Ｃｏｎｆｉｇｕｒａｔｉｏｎごとにチャネル状態報告を行うことになる。１つのＣＳＩ  Ｒｅｆｅｒｅｎｃｅ  Ｓｉｇｎａｌ  Ｃｏｎｆｉｇｕｒａｔｉｏｎの一部のアンテナポートについてチャネル状態報告をしたり、複数のＣＳＩ  Ｒｅｆｅｒｅｎｃｅ  Ｓｉｇｎａｌ  Ｃｏｎｆｉｇｕｒａｔｉｏｎのアンテナポートをまとめて１つのチャネル状態報告を送信したりする仕組みは無い。
【００３３】
以上のようにアンテナポート数、ＣＳＩ  Ｒｅｆｅｒｅｎｃｅ  Ｓｉｇｎａｌ  Ｃｏｎｆｉｇｕｒａｔｉｏｎ値、Ｓｕｂｆｒａｍｅ  ｃｏｎｆｉｇｕｒａｔｉｏｎ値によって、各ＣＳＩ−ＲＳのリソース位置が決定される。例えばｎｏｒｍａｌ  ＣＰ、ＣＳＩ  Ｒｅｆｅｒｅｎｃｅ  Ｓｉｇｎａｌ  Ｃｏｎｆｉｇｕｒａｔｉｏｎ  ０で８アンテナポートを使用してＣＳＩ−ＲＳを送信する場合、アンテナポート１５〜２２が使用するリソースエレメント位置はそれぞれ（９，５），（９，５），（３，５），（３，５），（８，５），（８，５），（２，５），（２，５）となる。
【００３４】
基地局は、端末にこれらの８つのアンテナポートに関するチャネル状態報告をさせるには、ＣＳＩ  Ｒｅｆｅｒｅｎｃｅ  Ｓｉｇｎａｌ  Ｃｏｎｆｉｇｕｒａｔｉｏｎ  ０を端末に通知すれば良い。しかし基地局は、これらのアンテナポートのうち一部のアンテナポート、例えばアンテナポート１５，１７，１９，２１を端末に通知して、４つのアンテナポートにおけるチャネル状態報告を端末にさせようとしても、その４つのアンテナポートを端末に通知する方法が無かった。
【００３５】
（従来のチャネル状態報告）
従来は、チャネル状態報告として、Ｐｅｒｉｏｄｉｃ（周期的）かＡｐｅｒｉｏｄｉｃ（非周期的）か、ｗｉｄｅｂａｎｄかｓｕｂ−ｂａｎｄか、ＰＭＩ（Ｐｒｅｃｏｄｉｎｇ  Ｍａｔｒｉｘ  Ｉｎｄｉｃａｔｏｒ）の報告が必要か否かの種別がある。チャネル状態報告は、ＣＳＩ  ｒｅｐｏｒｔｉｎｇ  ｍｏｄｅとして区別されている。ＣＳＩ  ｒｅｐｏｒｔｉｎｇ  ｍｏｄｅは、ＲＲＣメッセージで端末にシグナリングされるＣＱＩ−ＲｅｐｏｒｔＣｏｎｆｉｇの中に示される。
【００３６】
チャネル状態報告のタイミングは、Ａｐｅｒｉｏｄｉｃ  ＣＳＩ  ｒｅｐｏｒｔｉｎｇ  の場合、例えばＰＤＣＣＨ（Ｐｈｙｓｉｃａｌ  Ｄｏｗｎｌｉｎｋ  Ｃｏｎｔｒｏｌ  Ｃｈａｎｎｅｌ）上のＤＣＩ  ｆｏｒｍａｔ  ０  ａｎｄ  ４によるＣＳＩ  Ｒｅｑｕｅｓｔでトリガされる。ＦＤＤ（Ｆｒｅｑｕｅｎｃｙ  Ｄｉｖｉｓｉｏｎ  Ｄｕｐｌｅｘ；周波数分割多重）方式により基地局からＣＳＩ  Ｒｅｑｕｅｓｔを受信した端末は、ＣＳＩ  ｒｅｑｕｅｓｔを受信した４サブフレーム後にＣＳＩ  ｒｅｐｏｒｔを送る。
【００３７】
またチャネル状態報告のタイミングは、Ｐｅｒｉｏｄｉｃ  ＣＳＩ  ｒｅｐｏｒｔｉｎｇの場合、Ｒｅｐｏｒｔｉｎｇの周期はＣＱＩ−ＰＭＩ  Ｃｏｎｆｉｇｕｒａｔｉｏｎ  ＩｎｄｅｘとしてＲＲＣメッセージで端末にシグナリングされる。
【００３８】
端末からのチャネル状態報告は、基地局からの要求に応じてＵＣＩ（Ｕｐｌｉｎｋ  Ｃｏｎｔｒｏｌ  Ｉｎｆｏｒｍａｔｉｏｎ）に、ＣＱＩ（Ｃｈａｎｎｅｌ  Ｑｕａｌｉｔｙ  Ｉｎｄｉｃａｔｏｒｓ）、ＰＭＩ、ＰＴＩ（Ｐｒｅｃｏｄｉｎｇ  Ｔｙｐｅ  Ｉｎｄｉｃａｔｏｒｓ）、ＲＩ（Ｒａｎｋ  Ｉｎｄｉｃａｔｏｒｓ）を含む形で行われる。
【００３９】
複数の種類のＣＳＩ−ＲＳのリソースや複数のレポートのタイミング等は、ＣＳＩ−Ｐｒｏｃｅｓｓごとに設定できる。ＣＳＩ  Ｒｅｆｅｒｅｎｃｅ  Ｓｉｇｎａｌ  ＣｏｎｆｉｇｕｒａｔｉｏｎやＣＱＩ−ＰＭＩ  Ｃｏｎｆｉｇｕｒａｔｉｏｎ  ＩｎｄｅｘはＣＳＩ−ＰｒｏｃｅｓｓＩＤと関連付けられる。
【００４０】
従来のチャネル状態報告は、基地局から通知されたアンテナポートに関するチャネル状態報告であって、基地局から通知されたアンテナポートの中の一部のアンテナポートに関するチャネル状態報告の方法は無かった。
【００４１】
（ＦＤ−ＭＩＭＯに関連するハンドオーバや干渉）
従来のＲＲＣ＿ＣＯＮＮＥＣＴＥＤ状態の端末のセル間ハンドオーバは、サービングセルおよび隣接セルの全てのリソースブロックに挿入されているＣＲＳ（Ｃｏｍｍｏｎ  Ｒｅｆｅｒｅｎｃｅ  Ｓｉｇｎａｌ）の受信強度を端末が測定し、隣接セルのＣＲＳ受信強度が大きくなった場合に測定結果と隣接セルのセルＩＤを端末が基地局に報告することで行われていた。
【００４２】
図７は、ＲＲＣ＿ＣＯＮＮＥＣＴＥＤ状態の端末がサービングマクロセルの中を移動する様子の例を示す説明図である。図７のように、ＲＲＣ＿ＣＯＮＮＥＣＴＥＤ状態の端末がサービングマクロセルの中を移動し、当該サービングマクロセルでサービスされているか、または当該サービングマクロセル内のスモールセルでサービスされているＦＤ−ＭＩＭＯのビーム（ビームフォーミングされたＣＳＩ−ＲＳ）を検出した場合を考える。この場合、端末が検出したＣＳＩ−ＲＳのＣＳＩ−ＲＳ構成情報の一部を基地局に報告することで、ＣＳＩ−ＲＳ構成情報を管理しているマクロセルは、端末が検出したＦＤ−ＭＩＭＯのビームにユーザデータを転送する動作（ビームへのハンドオーバ）を行い得る。
【００４３】
しかし、ＦＤ−ＭＩＭＯのサービスを行うセルでは、ビームフォーミングされていないＣＲＳのカバレッジと、ビームフォーミングされたＣＳＩ−ＲＳおよびＰＤＳＣＨのカバレッジが大きく異なる。
【００４４】
図８は、基地局とＲＲＣ＿ＣＯＮＮＥＣＴＥＤ状態の端末が、サービングマクロセルの中を移動する様子の例を示す説明図である。例えば図８のように、マクロセルであるＣｅｌｌ２で基地局とＲＲＣ＿ＣＯＮＮＥＣＴＥＤ状態の端末がＣｅｌｌ２のカバレッジエリアの中を移動することで、隣接するマクロセルであるＣｅｌｌ１またはＣｅｌｌ１内のスモールセルのＦＤ−ＭＩＭＯのビームでサービスされるのが望ましい場合が生じる。ＦＤ−ＭＩＭＯのビームはＣＲＳやセルＩＤをビームフォーミングしておらず、Ｃｅｌｌ２が隣接セルのＣＳＩ−ＲＳ構成情報を管理していない。従って、端末はＣｅｌｌ２から隣接セルのＣＳＩ−ＲＳ構成情報を通知されていない等の理由により、Ｃｅｌｌ２から隣接セルのＣｅｌｌ１のＦＤ−ＭＩＭＯビームへ直接ハンドオーバする方法が無い。
【００４５】
図９は、基地局とＲＲＣ＿ＣＯＮＮＥＣＴＥＤ状態の端末がサービングマクロセルの中を移動する様子の例を示す説明図である。図９のように、Ｃｅｌｌ２でＦＤ−ＭＩＭＯのサービスを受けていた端末が移動してビームのエリアから出た場合に、同一のサービングセルにハンドオーバするよりも隣接セル（例えば図９のＣｅｌｌ１）の他のビームに直接ハンドオーバした方が良い場合がある。高層ビルに向けて複数のセルからＦＤ−ＭＩＭＯのビームが向けられている可能性があり、隣接セルのビーム間でハンドオーバする仕組みが必要となるが、既存の方法では、隣接セルのビーム間でハンドオーバする方法が無い。
【００４６】
またＦＤ−ＭＩＭＯでは、ビルの高層階にビームを向けることが想定されている。図１０は、同じビルに複数のセルからＦＤ−ＭＩＭＯのビームが向けられている例を示す説明図である。図１０のように、同じビルに複数のセルからＦＤ−ＭＩＭＯのビームが向けられている場合には、同じリソースを複数のビームで使用すると大きな干渉となる。セルを跨ってＦＤ−ＭＩＭＯのビーム間で干渉を低減する方法が無い。
【００４７】
そこで本件開示者は、上述した背景に鑑みて、リファレンス信号がビームフォーミングされることにより生じうる事象を解決し、リファレンス信号がビームフォーミングされる場合に通信処理を効率化することが可能な技術について鋭意検討を行った。その結果、本件開示者は、以下で説明するように、リファレンス信号がビームフォーミングされることにより生じうる事象を解決し、リファレンス信号がビームフォーミングされる場合に通信処理を効率化することが可能な技術を考案するに至った。
【００４８】
以上、本開示の実施の形態の背景について説明した。続いて、本開示の実施の形態の構成例について説明する。
【００４９】
［１．２．構成例］
（１．２．１．通信システムの構成例）
まず、本開示の実施形態に係る通信システム１の概略的な構成を説明する。図１１は、本開示の実施形態に係る通信システム１の概略的な構成の一例を示す説明図である。図１１を参照すると、通信システム１は、端末装置１００、基地局２００及び制御エンティティ３００を含む。通信システム１は、例えば、ＬＴＥ、ＬＴＥ−Ａｄｖａｎｃｅｄ、又はこれらに準ずる通信規格に準拠したシステムである。
【００５０】
端末装置１００は、基地局２００との無線通信を行う。また、端末装置１００は、セル（例えば、サービングセル及び近隣セル）についての測定（measurements）を行う。また、端末装置１００は、基地局２００への測定報告（即ち、測定結果の報告）を行う。
【００５１】
基地局２００は、端末装置１００を含む１つ以上の端末装置との無線通信を行う。また、基地局２００は、端末装置により報告される測定結果に基づいて、当該端末装置のハンドオーバを決定する。基地局２００は、マクロセルの基地局（即ち、マクロ基地局）であってもよく、又はスモールセルの基地局（即ち、スモール基地局）であってもよい。
【００５２】
制御エンティティ３００は、本開示の各実施形態に応じた制御を行う。制御エンティティ３００は、例えば、既存の又は新規のコアネットワークノードである。あるいは、制御エンティティ３００は、基地局であってもよい。一例として、基地局２００がスモール基地局である場合に、制御エンティティ３００はマクロ基地局であってもよい。
【００５３】
なお、本開示の実施形態では、例えば、セル（例えば、スモールセル）の「オン状態」とは、当該セルの基地局が当該セルにおいて信号（データ信号及び制御信号）を送受信する状態である。一方、例えば、セル（例えば、スモールセル）の「オフ状態」とは、当該セルの基地局が当該セルにおいて一部の制御信号（例えば、ＤＲＳ）を除き信号を送受信しない状態である。あるいは、セルの「オフ状態」とは、当該セルの基地局が当該セルにおいていずれの信号も送受信しない状態であってもよい。
【００５４】
以上、図１１を用いて本開示の実施形態に係る通信システム１の概略的な構成の一例を説明した。続いて、本開示の実施形態に係る端末装置１００の構成例について説明する。
【００５５】
（１．２．２．端末装置の構成例）
図１２は、本開示の実施形態に係る端末装置１００の構成の一例を示すブロック図である。図１２を参照すると、端末装置１００は、アンテナ部１１０、無線通信部１２０、記憶部１３０及び処理部１４０を備える。
【００５６】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００５７】
（無線通信部１２０）
無線通信部１２０は、信号を送受信する。例えば、無線通信部１２０は、基地局からのダウンリンク信号を受信し、基地局へのアップリンク信号を送信する。
【００５８】
（記憶部１３０）
記憶部１３０は、端末装置１００の動作のためのプログラム及びデータを一時的にまたは恒久的に記憶する。
【００５９】
（処理部１４０）
処理部１４０は、端末装置１００の様々な機能を提供する。処理部１４０は、情報取得部１４１及び制御部１４３を含む。なお、処理部１４０は、これらの構成要素以外の他の構成要素をさらに含み得る。即ち、処理部１４０は、これらの構成要素の動作以外の動作も行い得る。
【００６０】
（情報取得部１４１）
情報取得部１４１は、アンテナ部１１０が受信した電波から得られた信号から、種々の情報を取得する。本実施形態では、情報取得部１４１は、基地局２００から送信されるビームフォーミングされたリファレンス信号や、データチャネルに乗せられたデータを取得する。情報取得部１４１は、例えばセル固有ビーム構成情報を取得する。セル固有ビーム構成情報は、ＰＤＳＣＨビームを構成するセル固有ビームのアンテナポートであってもよく、基地局２００で生成される端末固有重み行列に関する情報であってもよい。
【００６１】
（制御部１４３）
制御部１４３は、端末装置１００の動作を制御するものである。本実施形態では、例えば、制御部１４３は、基地局２００から全ての端末装置向けの複数のビームで送信されたリファレンス信号を測定し、基地局２００からの指示に基づいて各ビームのチャネルの状態を報告するチャネル状態報告を生成する。制御部１４３は、チャネル状態報告を生成する際に、チャネル推定用のリファレンス信号ごとの受信強度の情報を含めてもよい。また制御部１４３は、複数のビームでリファレンス信号をビームフォーミングする基地局２００から送信されたＣＳＩ−ＲＳ構成情報に関するＣＳＩ−ＲＳの受信電力または受信品質を含んだ測定を行う。
【００６２】
また制御部１４３は、基地局２００からビームフォーミングされたリファレンス信号のアンテナポートのうち、一部のアンテナポートを選択し、選択したアンテナポートにおけるチャネルの状態を基地局２００へ報告するチャネル状態報告を生成する。また制御部１４３は、選択したアンテナポートの情報（アンテナポート選択情報）を基地局２００へ報告する。
【００６３】
また制御部１４３は、基地局２００からＰＤＳＣＨビーム及びセル固有ビーム構成情報を受信し、セル固有ビーム構成情報を用いて、アンテナ部１１０で受信したセル固有ビームごとにＰＤＳＣＨを分離してもよい。
【００６４】
以上、本開示の一実施形態に係る端末装置１００の機能構成例について説明した。次に、本開示の一実施形態に係る基地局２００の機能構成例について説明する。
【００６５】
（１．２．３．基地局の構成例）
図１３は、本開示の実施形態に係る基地局２００の機能構成例を示すブロック図である。図１３に示したように、本開示の一実施形態に係る基地局２００は、アンテナ部２１０と、無線通信部２２０と、ネットワーク通信部２３０と、記憶部２４０と、処理部２５０と、を備える。
【００６６】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【００６７】
本実施形態では、アンテナ部２１０は、指向性アンテナを含む。例えば、当該指向性アンテナは、ＦＤ−ＭＩＭＯに使用可能な指向性アンテナである。
【００６８】
例えば図３に示した１６個のＴＸＲＵは、セル固有重み行列を通して１６個のサブアレーに１対１で接続される。垂直方向には２つのサブアレーとＴＸＲＵが配置されており、この垂直方向の２つのＴＸＲＵが使用する重み係数Ｗ１〜Ｗ４とＷ５〜Ｗ８は異なっており、異なる方向へのビームを生成する。水平方向（コラム方向）には８個のサブアレーとＴＸＲＵが配置されており、この水平方向の８個のＴＸＲＵは同じ重み行列を使用し、同じ方向へのビームを生成する。
【００６９】
（無線通信部２２０）
無線通信部２２０は、信号を送受信する。例えば、無線通信部２２０は、端末装置へのダウンリンク信号を送信し、端末装置からのアップリンク信号を受信する。
【００７０】
（ネットワーク通信部２３０）
ネットワーク通信部２３０は、情報を送受信する。例えば、ネットワーク通信部２３０は、他のノードへの情報を送信し、他のノードからの情報を受信する。例えば、上記他のノードは、コアネットワーク及び他の基地局を含む。一例として、上記他のノードは、制御エンティティ３００を含む。
【００７１】
（記憶部２４０）
記憶部２４０は、基地局２００の動作のためのプログラム及びデータを一時的にまたは恒久的に記憶する。
【００７２】
（処理部２５０）
処理部２５０は、基地局２００の様々な機能を提供する。処理部２５０は、情報取得部２５１及び制御部２５３を含む。なお、処理部２５０は、これらの構成要素以外の他の構成要素をさらに含み得る。即ち、処理部２５０は、これらの構成要素の動作以外の動作も行い得る。
【００７３】
（情報取得部２５１）
情報取得部２５１は、基地局２００の動作のための情報やプログラム、また、他のノードから受信した情報を取得する。情報取得部２５１は、基地局２００の動作のための情報やプログラムを記憶部２４０から取得しうる。
【００７４】
本実施形態では、情報取得部２５１は、アンテナ部２１０から出力させたリファレンス信号に応じて各端末装置１００から送信された情報（チャネル状態報告）を取得する。リファレンス信号に応じて各端末装置１００から送信されたチャネル状態報告の内容については後述する。また情報取得部２５１は、基地局２００からビームフォーミングしたリファレンス信号の全てのアンテナポートのうち、一部のアンテナポートにおけるチャネルの状態を報告するチャネル状態報告を端末装置１００から取得する。
【００７５】
（制御部２５３）
制御部２５３は、基地局２００の動作を制御する。本実施形態では、制御部２５３は、例えば、少なくとも２つ以上の異なる第１の重み行列（セル固有重み行列）で生成する第１のビームでリファレンス信号をアンテナ部２１０から出力させる。また制御部２５３は、アンテナ部２１０から出力させたリファレンス信号に応じて各端末装置１００から送信され、情報取得部２５１が取得した情報に応じて、各端末装置固有の第２の重み行列（端末固有重み行列）を生成する。そして制御部２５３は、第１の重み行列及び第２の重み行列で生成する第２のビームで各端末装置１００に向けたデータをアンテナ部２１０から出力させる。
【００７６】
また制御部２５３は、ビームフォーミングしたリファレンス信号の全てのアンテナポートのうち、一部のアンテナポートを選択し、選択したその一部のアンテナポートにおけるチャネルの状態を報告するチャネル状態報告を端末装置１００から取得し、端末装置１００へのダウンリンクデータを、端末装置１００で選択されたアンテナポートを使用してアンテナ部２１０からビームフォーミングさせる処理を実行する。また制御部２５３は、自らが複数のビームでビームフォーミングしたＣＳＩ−ＲＳ構成情報と、隣接するセルが複数のビームでビームフォーミングするＣＳＩ−ＲＳ構成情報とを、ＲＲＣ＿ＣＯＮＮＥＣＴＥＤ状態にある端末装置１００に通知する。制御部２５３は、隣接するセルが複数のビームでビームフォーミングするＣＳＩ−ＲＳ構成情報を、例えばＸ２インタフェースを使用して取得する。
【００７７】
以上、本開示の一実施形態に係る基地局２００の機能構成例について説明した。続いて、本開示の一実施形態に係る制御エンティティ３００の機能構成例について説明する。
【００７８】
（１．２．４．制御エンティティの構成例）
図１４は、本開示の実施形態に係る制御エンティティ３００の機能構成例を示すブロック図である。図１４に示したように、本開示の一実施形態に係る制御エンティティ３００は、通信部３１０と、記憶部３２０と、処理部３３０と、を備える。
【００７９】
（通信部３１０）
通信部３１０は、情報を送受信する。例えば、通信部３１０は、他のノードへの情報を送信し、他のノードからの情報を受信する。例えば、上記他のノードは、コアネットワーク及び基地局を含む。一例として、上記他のノードは、基地局２００を含む。
【００８０】
（記憶部３２０）
記憶部３２０は、制御エンティティ３００の動作のためのプログラム及びデータを一時的にまたは恒久的に記憶する。
【００８１】
（処理部３３０）
処理部３３０は、制御エンティティ３００の様々な機能を提供する。処理部３３０は、情報取得部３３１及び制御部３３３を含む。なお、処理部３３０は、これらの構成要素以外の他の構成要素をさらに含み得る。即ち、処理部３３０は、これらの構成要素の動作以外の動作も行い得る。
【００８２】
（情報取得部３３１）
情報取得部３３１は、制御エンティティ３００の動作のための情報や、他のノードから受信した情報を取得する。情報取得部３３１は、制御エンティティ３００の動作のための情報やプログラムを記憶部３２０から取得しうる。
【００８３】
（制御部３３３）
制御部３３３は、制御エンティティ３００の動作を制御する。制御部３３３は、情報取得部３３１が取得した情報に基づいて動作しうる。
【００８４】
以上、本開示の一実施形態に係る制御エンティティ３００の機能構成例について説明した。続いて、本開示の一実施形態に係る通信システム１の動作例について説明する。
【００８５】
［１．３．動作例］
（動作例１）端末がアンテナポートを選択するチャネル状態報告
最初に、端末装置１００がアンテナポートを選択するチャネル状態報告について説明する。ここでは、図１５に示したように、基地局２００のアンテナ部２１０が、８×８のアンテナ素子で構成されるアンテナアレーと８個のトランシーバユニット（ＴＸＲＵ）が、アナログの固定の移相器を間に置いて構成されており、このようにアンテナ部２１０が構成された基地局２００がＦＤ−ＭＩＭＯを提供する場合を例示する。
【００８６】
図１６は、図１５のように構成されたアンテナ部２１０から送信されるＣＳＩ−ＲＳビームの例を示す説明図である。図１６には、８個のＴＸＲＵから送信される８個のＣＳＩ−ＲＳビームのうち４個（ＴＸＲＵ  Ｂｅａｍ１〜４）のみが図示されている。残り４個のＣＳＩ−ＲＳビームは別の方角に向けられていても良い。また図１６には、ビル４００の中に位置する５台の端末装置１００ａ〜１００ｅも併せて示されている。
【００８７】
端末装置１００ｃは、ＣＳＩ−ＲＳビーム２（ＴＸＲＵ  Ｂｅａｍ２）とＣＳＩ−ＲＳビーム３（ＴＸＲＵ  Ｂｅａｍ３）を受信できる。本実施形態では、端末装置１００ｃは、基地局２００に、ＣＳＩ−ＲＳビーム２とＣＳＩ−ＲＳビーム３に関するチャネル状態報告を行う。基地局２００は、端末装置１００ｃからのチャネル状態報告より、端末装置１００ｃに割り当てるＰＤＳＣＨのためのＴＸＲＵ２、ＴＸＲＵ３の前段に掛ける最適な重み係数を知ることが出来る。そして基地局２００は、図４のように、端末装置１００ｃのＰＤＳＣＨビームを構成し送信することができる。
【００８８】
（基地局から端末へのＣＳＩ  ｒｅｐｏｒｔｉｎｇ  ｍｏｄｅの通知）
基地局２００は、ＲＲＣ接続要求を出したＦＤ−ＭＩＭＯ対応の端末装置１００に対しＲＲＣシグナリングでＣＱＩ−ＲｅｐｏｒｔＣｏｎｆｉｇを通知する。ＣＱＩ−ＲｅｐｏｒｔＣｏｎｆｉｇにはＣＳＩ  ｒｅｐｏｒｔｉｎｇ  ｍｏｄｅ、ＣＱＩ−ＰＭＩ  Ｃｏｎｆｉｇｕｒａｔｉｏｎ  Ｉｎｄｅｘなどが含まれる。ＣＳＩ  ｒｅｐｏｒｔｉｎｇ  ｍｏｄｅ  の種別によって、ＰｅｒｉｏｄｉｃかＡｐｅｒｉｏｄｉｃか、ｗｉｄｅｂａｎｄかｓｕｂ−ｂａｎｄか、ＰＭＩの報告が必要か否か、ｂｅａｍｆｏｒｍｅｄ  ＣＳＩ−ＲＳ（ビームフォーミングされたＣＳＩ−ＲＳ）かＮｏｎ−ｂｅａｍｆｏｒｍｅｄ  ＣＳＩ−ＲＳ（ビームフォーミングされていないＣＳＩ−ＲＳ）かが示される。表２は、ＣＳＩ  ｒｅｐｏｒｔｉｎｇ  ｍｏｄｅの例を示す説明図である。
【００８９】
【表２】
2017050758.tif 000005
【００９０】
本実施形態では、ＣＳＩ  ｒｅｐｏｒｔｉｎｇ  ｍｏｄｅに、４−０〜４−５を追加している。基地局２００は、この動作例１ではＲｅｐｏｒｔｉｎｇ  ｍｏｄｅ  ４−０を通知する。Ｒｅｐｏｒｔｉｎｇ  ｍｏｄｅ  ４−０は、Ａｐｅｒｉｏｄｉｃ，ｗｉｄｅｂａｎｄ，ＰＭＩ，ＵＥ  ｓｅｌｅｃｔｅｄ  ｂｅａｍｆｏｒｍ  ＣＳＩ−ＲＳを示す。Ａｐｅｒｉｏｄｉｃ  ＣＳＩ  ｒｅｐｏｒｔｉｎｇの場合、例えばＰＤＣＣＨ上のＤＣＩ  ｆｏｒｍａｔ  ０  ａｎｄ  ４によるＣＳＩ  Ｒｅｑｕｅｓｔでトリガされる。端末装置１００は、ＣＳＩ  ｒｅｑｕｅｓｔを受信した４サブフレーム後にＣＳＩ  ｒｅｐｏｒｔを送る。
【００９１】
表３は、トランスミッションモードの例を示す説明図である。本実施形態では、トランスミッションモードとしてＦＤ−ＭＩＭＯのダウンリンク信号の送信用に例えばｔｒａｎｓｍｉｓｓｉｏｎ  ｍｏｄｅ  １１を追加する。もちろんＦＤ−ＭＩＭＯのダウンリンク信号の送信用に追加するモードの値は１１に限られるものでは無い。
【００９２】
【表３】
2017050758.tif 000006
【００９３】
基地局２００は、ＲＲＣ＿ＣＯＮＮＥＣＴＥＤ状態のＦＤ−ＭＩＭＯ対応の端末装置１００に対し、ＲＲＣシグナリングでｄｏｗｎｌｉｎｋ  ｔｒａｎｓｍｉｓｓｉｏｎ  ｍｏｄｅを通知する。ＣＳＩ  ｒｅｐｏｒｔｉｎｇ  ｍｏｄｅにＵＥ  ｓｅｌｅｃｔｅｄ  ｂｅａｍｆｏｒｍ  ｒｅｐｏｒｔｉｎｇ  ｍｏｄｅ，ｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅを追加する代わりに、Ｔｒａｎｓｍｉｓｓｉｏｎ  ｍｏｄｅ  １１が通知された場合にＣＳＩ  ｒｅｐｏｒｔｉｎｇ  ｍｏｄｅがｂｅａｍｆｏｒｍｅｄ  ＣＳＩ−ＲＳのｒｅｐｏｒｔｉｎｇ  ｍｏｄｅであることを端末装置１００が判断しても良い。
【００９４】
（基地局から端末へのＣＳＩ−ＲＳ構成情報の通知）
基地局２００は、ＦＤ−ＭＩＭＯ対応の端末装置１００に対しＲＲＣシグナリングでＣＳＩ  Ｒｅｆｅｒｅｎｃｅ  Ｓｉｇｎａｌ  Ｃｏｎｆｉｇｕｒａｔｉｏｎ（ＣＳＩ−ＲＳ構成情報）を通知する。ＣＳＩ  Ｒｅｆｅｒｅｎｃｅ  Ｓｉｇｎａｌ  ＣｏｎｆｉｇｕｒａｔｉｏｎにはＡｎｔｅｎｎａ  ｐｏｒｔ  ｃｏｕｎｔ、ＣＳＩ  ｒｅｆｅｒｅｎｃｅ  Ｓｉｇｎａｌ  ｃｏｎｆｉｇｕｒａｔｉｏｎ、Ｓｕｂｆｒａｍｅ  ｃｏｎｆｉｇｕｒａｔｉｏｎなどが含まれる。
【００９５】
Ａｎｔｅｎｎａ  ｐｏｒｔ  ｃｏｕｎｔは、ＣＳＩ−ＲＳを構成するアンテナポートの数を示す。動作例１では、ｂｅａｍｆｏｒｍｅｄ  ＣＳＩ−ＲＳを構成するアンテナポートの数は８であるとする。
【００９６】
ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるルックアップテーブルで、ＣＳＩ−ＲＳが使うリソースエレメント（ｋ，ｌ）とタイムスロットとが決まる。動作例１では、例えばＣＳＩ  ｒｅｆｅｒｅｎｃｅ  Ｓｉｇｎａｌ  ｃｏｎｆｉｇｕｒａｔｉｏｎ  ０を通知し、アンテナポート１５〜２２が使用するリソースエレメント位置はそれぞれｅｖｅｎ−ｎｕｍｂｅｒｅｄ  ｓｌｏｔ上の（９，５），（９，５），（３，５），（３，５），（８，５），（８，５），（２，５），（２，５）となる。
【００９７】
Ｓｕｂｆｒａｍｅ  ｃｏｎｆｉｇｕｒａｔｉｏｎは０〜１５４の値で示され、３ＧＰＰ  ＴＳ３６．２１１  ｔａｂｌｅ６．１０．５．３−１に規定されるルックアップテーブルでＣＳＩ−ＲＳ  ｐｅｒｉｏｄｉｃｉｔｙとＣＳＩ−ＲＳ  ｓｕｂｆｒａｍｅ  ｏｆｆｓｅｔが与えられる。
【００９８】
この動作例１では、基地局２００は、ＣＳＩ−ＲＳを構成するアンテナポートの数を８とし、ｂｅａｍｆｏｒｍｅｄ  ＣＳＩ−ＲＳが送信されるリソースを示すＣＳＩ−ＲＳ構成情報を端末装置１００に通知する。
【００９９】
（基地局から端末へのＣＳＩ  ｒｅｑｕｅｓｔの通知）
チャネル状態報告のタイミングは、Ａｐｅｒｉｏｄｉｃ  ＣＳＩ  ｒｅｐｏｒｔｉｎｇ  の場合、例えばＰＤＣＣＨ上のＤＣＩ  ｆｏｒｍａｔ  ０  ａｎｄ  ４によるＣＳＩ  Ｒｅｑｕｅｓｔでトリガされる。本実施形態では、ＣＳＩ  Ｒｅｑｕｅｓｔは、例えばｂｅａｍｆｏｒｍｅｄ  ＣＳＩ−ＲＳに対応するビットを追加して計３ビットとする。表４は、ＣＳＩ  ｒｅｑｕｅｓｔの例を示す説明図である。
【０１００】
【表４】
2017050758.tif 000007
【０１０１】
端末装置１００は、表４に示されたＣＳＩ  ｒｅｑｕｅｓｔの内容を確認し、最上位ビットが‘１’の場合にｂｅａｍｆｏｒｍｅｄ  ＣＳＩ−ＲＳに対するチャネル状態報告の要求であることを認識できる。さらに複数のＣＳＩ  ｐｒｏｃｅｓｓがある場合にも対応できるようにする。
【０１０２】
（チャネル状態報告）
端末装置１００からのチャネル状態報告は、基地局２００からのＣＳＩ  Ｒｅｑｕｅｓｔの４サブフレーム後に、ＣＱＩ、ＰＭＩ、ＰＴＩ、ＲＩ、アンテナポートの選択情報をＵＣＩに含む形で行われる。端末装置１００は、アンテナポートの選択情報を、例えばｂｅａｍｆｏｒｍｅｄ  ＣＳＩ−ＲＳが８アンテナポートで通知された場合に８ビットのビットマップで表示しても良い。また端末装置１００は、アンテナポートの選択情報をビットマップにして、基地局２００にＲＲＣメッセージで通知しても良い。
【０１０３】
図１７は、本開示の一実施形態に係る端末装置１００及び基地局２００の動作例を示す流れ図である。図１７に示したのは、端末装置１００が基地局２００からの要求に基づいて一部のアンテナポートについてＣＳＩ−ＲＳを測定し、基地局２００が端末装置１００からの報告に基づいて端末固有重み行列を生成して、その端末装置１００に向けたビームを生成する際の動作例である。以下図１７を用いて本開示の一実施形態に係る端末装置１００及び基地局２００の動作例について説明する。
【０１０４】
基地局２００は、全てのサブフレームにおいて、物理レイヤセルＩＤ（ＰＣＩ）と送信アンテナ数で決まるリソースエレメントでセル固有基準信号（ＣＲＳ）をアンテナ部２１０から送信する（ステップＳ１０１）。基地局２００は、ＴＸＲＵごとにセル固有重み行列を通し、異なるアンテナポートを使用してＣＳＩ−ＲＳを送信する。基地局２００は、予め決められたサブフレームの、予め決められたリソースエレメントの位置でＣＳＩ−ＲＳを送信する。
【０１０５】
端末装置１００は、電源ＯＮされると（ステップＳ１０２）、優先度の高い周波数チャネルでセルサーチを行い（ステップＳ１０３）、第１同期信号（ＰＳＳ）および第２同期信号（ＳＳＳ）を検出し、物理レイヤセルＩＤ（ＰＣＩ）とフレームタイミングを検出する。端末装置１００は、マスター情報ブロック（ＭＩＢ）、システム情報ブロック（ＳＩＢ）を復号し、既に検出したＰＣＩと、基地局２００の送信アンテナの数とから、セル固有基準信号（ＣＲＳ）の挿入されるリソースエレメントの位置を知り、その受信強度を測定することが可能になる。端末装置１００は、制御部１４３で周辺のＣＲＳの強度を測定し、最適なセルを選択する（ステップＳ１０４）。
【０１０６】
最適なセルを選択した端末装置１００は、基地局２００にＲＲＣ接続要求を送る（ステップＳ１０５）。ステップＳ１０５のＲＲＣ接続要求の送信は制御部１４３がアンテナ部１１０を通じて行う。ＲＲＣ接続要求を受信した基地局２００は、その端末装置１００に対してＲＲＣ接続許可を送る（ステップＳ１０６）。ステップＳ１０６のＲＲＣ接続許可の送信は制御部２５３がアンテナ部２１０を通じて行う。ＲＲＣ接続要求を送信した端末装置１００に、基地局２００がＲＲＣ接続許可を送ると、端末装置１００と基地局２００とはＲＲＣ接続状態（ＲＲＣ  Ｃｏｎｎｅｃｔｅｄ）となる。
【０１０７】
続いて基地局２００は、ＲＲＣ接続状態となった端末装置１００へ、ＲＲＣシグナリングで、ＣＳＩ−ＲＳ  Ｃｏｎｆｉｇｕｒａｔｉｏｎ（ＣＳＩ−ＲＳ構成情報）、及びＣＱＩ−ＲｅｐｏｒｔＣｏｎｆｉｇを通知する（ステップＳ１０７）。ステップＳ１０７の通知は制御部２５３がアンテナ部２１０を通じて行う。
【０１０８】
基地局２００からの通知を受信した端末装置１００は、ビームフォーミングされたＣＳＩ−ＲＳを測定する（ステップＳ１０８）。ステップＳ１０８の測定は制御部１４３が行う。
【０１０９】
続いて基地局２００は、端末装置１００へ向けてＣＳＩ  Ｒｅｑｕｅｓｔを通知する（ステップＳ１０９）。ステップＳ１０９の通知は制御部２５３がアンテナ部２１０を通じて行う。
【０１１０】
基地局２００からＣＳＩ  Ｒｅｑｕｅｓｔの通知を受けた端末装置１００は、基地局２００からの通知に応じて、ＣＳＩ−ＲＳに対するＣＱＩ、ＲＩ、ＰＭＩ、アンテナポート選択情報の報告（チャネル状態報告）を基地局２００に送る（ステップＳ１１０）。ステップＳ１１０のチャネル状態報告の送信は制御部１４３がアンテナ部１１０を通じて行う。
【０１１１】
端末装置１００からのチャネル状態報告を受信した基地局２００は、端末装置１００からの報告に応じて、その端末装置１００に最適なＴＸＲＵを選択し、端末固有の重み行列（端末固有重み行列）を生成する（ステップＳ１１１）。ステップＳ１１１の端末固有重み行列の生成は制御部２５３が行う。
【０１１２】
基地局２００は、ステップＳ１１１で端末固有重み行列を生成すると、端末装置１００にＰＤＳＣＨ及びＤＭ−ＲＳを送信するリソースブロックの割り当て情報をＤＣＩ（Ｄｏｗｎｌｉｎｋ  Ｃｏｎｔｒｏｌ  Ｉｎｆｏｒｍａｔｉｏｎ）で通知し、端末装置１００に割り当てたＰＤＳＣＨ及びＤＭ−ＲＳを、端末固有重み行列とセル固有重み行列とを通して、端末固有ビーム（ＰＤＳＣＨビーム）で送信する（ステップＳ１１２）。ステップＳ１１２の送信は制御部２５３がアンテナ部２１０を通じて行う。基地局２００は、ＰＤＳＣＨ及びＤＭ−ＲＳを送信する際に、方向が異なるＰＤＳＣＨビームに同じリソースブロックを割り当てて、複数の端末装置１００に向けたデータを多重しても良い。
【０１１３】
基地局２００からＰＤＳＣＨを受信できた端末装置１００は、基地局に対して受信応答（ＡＣＫ）を送信する（ステップＳ１１３）。また基地局２００からＰＤＳＣＨを受信できなかった端末装置１００は、基地局に対して受信応答（ＮＡＣＫ）を送信する（ステップＳ１１３）。ステップＳ１１３の受信応答は、制御部１４３がアンテナ部１１０を通じて行う。
【０１１４】
端末装置１００及び基地局２００が上述した一連の動作を実行することで、端末装置１００は、一部のアンテナポートについてのみをＣＳＩ−ＲＳの測定対象とすることが出来る。また基地局２００は、端末装置１００からの報告に基づいて端末装置１００に適切なビームを生成することができ、また端末装置１００は、受信に適したビームを基地局２００から受信することができる。
【０１１５】
端末装置１００が選択するアンテナポートの数は１つであっても良い。端末装置１００が選択するアンテナポートの数が１つである場合、基地局２００は、端末装置１００へ送信するデータに端末固有の重み行列は用いず、選択された１つのアンテナポートによるＣＳＩ−ＲＳの送信時と同じ重みを選択する。
【０１１６】
図１８は、本開示の一実施形態に係る端末装置１００及び基地局２００の動作例を示す流れ図である。図１８に示したのは、端末装置１００が基地局２００からの要求に基づいて１つのアンテナポートについてＣＳＩ−ＲＳを測定し、基地局２００が端末装置１００からの報告に基づいて、その端末装置１００に向けたビームを生成する際の動作例である。以下図１８を用いて本開示の一実施形態に係る端末装置１００及び基地局２００の動作例について説明する。
【０１１７】
ステップＳ１０１〜Ｓ１１０までは図１７に示した処理と同様であるので詳細な説明は省略する。この動作例では、端末装置１００が１つのアンテナポートのみを選択し、アンテナポート選択情報を基地局２００に送信したとする。
【０１１８】
端末装置１００からのチャネル状態報告を受信した基地局２００は、端末装置１００からの報告に応じて、セル固有ビームにＰＤＳＣＨを割り当てる（ステップＳ１２１）。ステップＳ１２１の割り当ては制御部２５３が行う。
【０１１９】
基地局２００は、ステップＳ１２１でセル固有ビームにＰＤＳＣＨを割り当てると、端末装置１００に割り当てたＰＤＳＣＨ及びＤＭ−ＲＳをセル固有ビームで送信する（ステップＳ１２２）。ステップＳ１２２の送信は制御部２５３がアンテナ部２１０を通じて行う。
【０１２０】
基地局２００からＰＤＳＣＨを受信できた端末装置１００は、基地局に対して受信応答（ＡＣＫ）を送信する（ステップＳ１２３）。また基地局２００からＰＤＳＣＨを受信できなかった端末装置１００は、基地局に対して受信応答（ＮＡＣＫ）を送信する（ステップＳ１２３）。ステップＳ１２３の受信応答は、制御部１４３がアンテナ部１１０を通じて行う。
【０１２１】
（動作例２）端末がアンテナポートを選択するチャネル状態報告（１６アンテナポート）
次に、端末装置１００がアンテナポートを選択するチャネル状態報告について説明する。ここでは、図３に示したように、基地局２００のアンテナ部２１０が、８×８のアンテナ素子で構成されるアンテナアレーと１６個のトランシーバユニット（ＴＸＲＵ）が、間にアナログの固定の移相器を置いて構成されており、このようにアンテナ部２１０が構成された基地局２００がＦＤ−ＭＩＭＯを提供する場合を例示する。
【０１２２】
基地局２００は、ＣＳＩ−ＲＳを、各ＴＸＲＵから４個のアンテナ素子で構成されるサブアレーを使用し、それぞれに設定されたアンテナ重み係数ｗでビームフォーミングして送信する。アンテナポートが８より大きい場合は、従来のＣＳＩ  Ｒｅｆｅｒｅｎｃｅ  Ｓｉｇｎａｌ  Ｃｏｎｆｉｇｕｒａｔｉｏｎでは対応できない。
【０１２３】
１つのサブフレームには４０のＣＳＩ−ＲＳに使用可能なリソースエレメントが存在する。本実施形態では、１６アンテナポートに対応するため、例えばＣＳＩ  Ｒｅｆｅｒｅｎｃｅ  Ｓｉｇｎａｌ  Ｃｏｎｆｉｇｕｒａｔｉｏｎ  １に１６アンテナポートの場合を追加し、ＣＳＩ−ＲＳリソースエレメントのアンテナポートによる周波数オフセットを１６アンテナポートに拡張する。
【０１２４】
図１９は、１６アンテナポートの場合を追加したＣＳＩ  Ｒｅｆｅｒｅｎｃｅ  Ｓｉｇｎａｌ  Ｃｏｎｆｉｇｕｒａｔｉｏｎ  １の例を示す説明図である。また表５はＣＳＩ−ＲＳリソースエレメントのアンテナポートによる周波数オフセットを１６アンテナポートに拡張した例を示す表である。
【０１２５】
【表５】
2017050758.tif 000008
【０１２６】
（基地局から端末へのＣＳＩ−ＲＳ構成情報の通知）
基地局２００は、ＦＤ−ＭＩＭＯ対応の端末装置１００に対しＲＲＣシグナリングでＣＳＩ  Ｒｅｆｅｒｅｎｃｅ  Ｓｉｇｎａｌ  Ｃｏｎｆｉｇｕｒａｔｉｏｎ（ＣＳＩ−ＲＳ構成情報）を通知する。動作例２でも同様に、ＣＳＩ  Ｒｅｆｅｒｅｎｃｅ  Ｓｉｇｎａｌ  ＣｏｎｆｉｇｕｒａｔｉｏｎにはＡｎｔｅｎｎａ  ｐｏｒｔ  ｃｏｕｎｔ、ＣＳＩ  ｒｅｆｅｒｅｎｃｅ  Ｓｉｇｎａｌ  ｃｏｎｆｉｇｕｒａｔｉｏｎ、  Ｓｕｂｆｒａｍｅ  ｃｏｎｆｉｇｕｒａｔｉｏｎなどが含まれる。
【０１２７】
Ａｎｔｅｎｎａ  ｐｏｒｔ  ｃｏｕｎｔは、ＣＳＩ−ＲＳを構成するアンテナポートの数を示す。動作例２ではｂｅａｍｆｏｒｍｅｄ  ＣＳＩ−ＲＳを構成するアンテナポートの数を１６とする。
【０１２８】
ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるルックアップテーブルで、ＣＳＩ−ＲＳが使うリソースエレメント（ｋ，ｌ）とタイムスロットとが決まる。動作例２では、例えばＣＳＩ  ｒｅｆｅｒｅｎｃｅ  Ｓｉｇｎａｌ  ｃｏｎｆｉｇｕｒａｔｉｏｎ  １を通知し、アンテナポート１５〜３０が使用するリソースエレメント位置はそれぞれｏｄｄ−ｎｕｍｂｅｒｅｄ  ｓｌｏｔ上の（１１，２），（１１，２），（５，２），（５，２），（１０，２），（１０，２），（４，２），（４，２），（９，２），（９，２），（３，２），（３，２），（８，２），（８，２），（２，２），（２，２）となる。
【０１２９】
Ｓｕｂｆｒａｍｅ  ｃｏｎｆｉｇｕｒａｔｉｏｎは０〜１５４の値で示され、３ＧＰＰ  ＴＳ３６．２１１  ｔａｂｌｅ６．１０．５．３−１に規定されるルックアップテーブルでＣＳＩ−ＲＳ  ｐｅｒｉｏｄｉｃｉｔｙとＣＳＩ−ＲＳ  ｓｕｂｆｒａｍｅ  ｏｆｆｓｅｔが与えられる。
【０１３０】
この動作例２では、基地局２００は、ＣＳＩ−ＲＳを構成するアンテナポートの数を１６とし、ｂｅａｍｆｏｒｍｅｄ  ＣＳＩ−ＲＳが送信されるリソースを示すＣＳＩ−ＲＳ構成情報を端末装置１００にＲＲＣシグナリングで通知する。以降の流れは、動作例１の場合と同様であるため、詳細な説明は割愛する。
【０１３１】
（動作例３）基地局が端末装置ごとのアンテナポートを選択するチャネル状態報告
動作例１、２では、端末装置１００がアンテナポートを選択する例を示した。この動作例３では、基地局２００が予め端末装置１００ごとのアンテナポートを選択する例を説明する。
【０１３２】
ここでは、図１５に示したように、基地局２００のアンテナ部２１０が、８×８のアンテナ素子で構成されるアンテナアレーと８個のトランシーバユニット（ＴＸＲＵ）が、間にアナログの固定の移相器を置いて構成されており、このようにアンテナ部２１０が構成された基地局２００がＦＤ−ＭＩＭＯを提供する場合を例示する。
【０１３３】
図１６に示した端末装置１００ｃは、ＣＳＩ−ＲＳビーム２（ＴＸＲＵ  Ｂｅａｍ２）とＣＳＩ−ＲＳビーム３（ＴＸＲＵ  Ｂｅａｍ３）を受信できる位置にある。基地局２００は、各ＣＳＩ−ＲＳビームをどの端末装置が検出し得るか推定することができる。
【０１３４】
例えば、端末装置１００ｃはＤｉｓｃｏｖｅｒｙ  Ｒｅｆｅｒｅｎｃｅ  ＳｉｇｎａｌとしてのＣＳＩ−ＲＳを検出して、基地局２００に報告したことがあるかも知れない。また例えば、端末装置１００ｃは、何らかの位置情報を基地局２００に通知しているかも知れない。また例えば、端末装置１００ｃは、ＣＳＩ−ＲＳの測定結果を含んだ測定レポートを基地局に通知したことがあるかも知れない。端末装置１００ｃは、この測定レポートに、端末装置１００ｃが選択したアンテナポートの情報が含まれていても良い。
【０１３５】
また例えば、基地局２００は、端末装置１００ｃからのアップリンクのＳＲＳを受信して、端末装置１００ｃの方角と適正なアンテナポート選択を推測することもできる。
【０１３６】
基地局２００は、それぞれの端末装置１００ａ〜１００ｅに割り当て得る、複数の、選択されたアンテナポートに関するＣＳＩ−ＲＳ構成情報をそれぞれの端末装置１００ａ〜１００ｅに通知する。例えば基地局２００は端末装置１００ｃに、全てのＣＳＩ−ＲＳビームを構成するアンテナポートに関するＣＳＩ−ＲＳ構成情報（ＣＳＩ  ｐｒｏｃｅｓｓ  ０）、ＣＳＩ−ＲＳビーム３を構成するアンテナポートに関するＣＳＩ−ＲＳ構成情報（ＣＳＩ  ｐｒｏｃｅｓｓ  １）、ＣＳＩ−ＲＳビーム２、３を構成するアンテナポートに関するＣＳＩ−ＲＳ構成情報（ＣＳＩ  ｐｒｏｃｅｓｓ  ２）の、合計３個の選択されたアンテナポートに関するＣＳＩ−ＲＳ構成情報（ＣＳＩ  ｐｒｏｃｅｓｓ）を通知しても良い。
【０１３７】
端末装置１００ａ〜１００ｅは、複数の、選択されたアンテナポートに関するＣＳＩ−ＲＳ構成情報のうち、最適な選択されたアンテナポートに関するＣＳＩ−ＲＳ構成情報を選択し、このアンテナポートにおけるチャネル状態報告を基地局２００へ行う。例えば、端末装置１００ｃは、ＣＳＩ−ＲＳビーム２とＣＳＩ−ＲＳビーム３に関するチャネル状態報告を基地局２００に行う。基地局２００は、端末装置１００ｃからのチャネル状態報告より、端末装置１００ｃに割り当てるＰＤＳＣＨのためのＴＸＲＵ２、ＴＸＲＵ３の前段に掛ける最適な重み係数を知ることができる。そして基地局２００は、図４のように、端末装置１００ｃのＰＤＳＣＨビームを構成し送信することができる。
【０１３８】
（基地局から端末へのＣＳＩ  ｒｅｐｏｒｔｉｎｇ  ｍｏｄｅの通知）
基地局２００は、ＲＲＣ接続要求を出したＦＤ−ＭＩＭＯ対応の端末装置１００に対しＲＲＣシグナリングでＣＱＩ−ＲｅｐｏｒｔＣｏｎｆｉｇを通知する。ＣＱＩ−ＲｅｐｏｒｔＣｏｎｆｉｇにはＣＳＩ  ｒｅｐｏｒｔｉｎｇ  ｍｏｄｅ、ＣＱＩ−ＰＭＩ  Ｃｏｎｆｉｇｕｒａｔｉｏｎ  Ｉｎｄｅｘなどが含まれる。ＣＳＩ  ｒｅｐｏｒｔｉｎｇ  ｍｏｄｅ  の種別によって、ＰｅｒｉｏｄｉｃかＡｐｅｒｉｏｄｉｃか、ｗｉｄｅｂａｎｄかｓｕｂ−ｂａｎｄか、ＰＭＩの報告が必要か否か、ｂｅａｍｆｏｒｍｅｄ  ＣＳＩ−ＲＳかＮｏｎ−ｂｅａｍｆｏｒｍｅｄ  ＣＳＩ−ＲＳかが示される。
【０１３９】
動作例３では、表２に示したＲｅｐｏｒｔｉｎｇ  ｍｏｄｅ  ４−１を通知する。Ｒｅｐｏｒｔｉｎｇ  ｍｏｄｅ  ４−１は、Ａｐｅｒｉｏｄｉｃ、ｗｉｄｅｂａｎｄ、ＰＭＩ、ｈｉｇｈｅｒ  ｌａｙｅｒ  ｃｏｎｆｉｇｕｒｅｄ  ｂｅａｍｆｏｒｍ  ＣＳＩ−ＲＳを示す。Ａｐｅｒｉｏｄｉｃ  ＣＳＩ  ｒｅｐｏｒｔｉｎｇの場合、例えばＰＤＣＣＨ上のＤＣＩ  ｆｏｒｍａｔ  ０  ａｎｄ  ４によるＣＳＩ  Ｒｅｑｕｅｓｔでトリガされる。端末装置１００は、ＣＳＩ  ｒｅｑｕｅｓｔを受信した４サブフレーム後にＣＳＩ  ｒｅｐｏｒｔを送る。
【０１４０】
（基地局から端末へのＣＳＩ−ＲＳ構成情報とＣＳＩ  ｐｒｏｃｅｓｓ情報の通知）
基地局２００は、ＦＤ−ＭＩＭＯ対応の端末装置１００に対しＲＲＣシグナリングでＣＳＩ  Ｒｅｆｅｒｅｎｃｅ  Ｓｉｇｎａｌ  Ｃｏｎｆｉｇｕｒａｔｉｏｎ（ＣＳＩ−ＲＳ構成情報）を通知する。動作例３でも同様に、ＣＳＩ  Ｒｅｆｅｒｅｎｃｅ  Ｓｉｇｎａｌ  ＣｏｎｆｉｇｕｒａｔｉｏｎにはＡｎｔｅｎｎａ  ｐｏｒｔ  ｃｏｕｎｔ、ＣＳＩ  ｒｅｆｅｒｅｎｃｅ  Ｓｉｇｎａｌ  ｃｏｎｆｉｇｕｒａｔｉｏｎ、  Ｓｕｂｆｒａｍｅ  ｃｏｎｆｉｇｕｒａｔｉｏｎなどが含まれる。
【０１４１】
Ａｎｔｅｎｎａ  ｐｏｒｔ  ｃｏｕｎｔは、ＣＳＩ−ＲＳを構成するアンテナポートの数を示す。動作例３ではｂｅａｍｆｏｒｍｅｄ  ＣＳＩ−ＲＳを構成するアンテナポートの数を８とする。例えばアンテナポート１５でＣＳＩ−ＲＳビーム１が、アンテナポート１６でＣＳＩ−ＲＳビーム２が、アンテナポート１７でＣＳＩ−ＲＳビーム３が、アンテナポート１８でＣＳＩ−ＲＳビーム４がそれぞれ送信される。他の４つのアンテナポートとＣＳＩ−ＲＳビームはここでは説明を割愛する。
【０１４２】
この動作例３では、基地局２００は、例えばある端末装置１００に３つのＣＳＩ  ｐｒｏｃｅｓｓ情報を通知することで、３つのＣＳＩ  Ｒｅｆｅｒｅｎｃｅ  Ｓｉｇｎａｌ  Ｃｏｎｆｉｇｕｒａｔｉｏｎの組み合わせを通知する。ＣＳＩ  ｐｒｏｃｅｓｓ  ０は全ＣＳＩ−ＲＳビームを構成する８つのアンテナポート（アンテナポート１５〜２２）に関するＣＳＩ−ＲＳ構成情報であり、ＣＳＩ  ｐｒｏｃｅｓｓ  １はＣＳＩ−ＲＳビーム３を構成する１つのアンテナポート（アンテナポート１７）に関するＣＳＩ−ＲＳ構成情報であり、ＣＳＩ  ｐｒｏｃｅｓｓ  ２はＣＳＩ−ＲＳビーム２およびＣＳＩ−ＲＳビーム３を構成する２つのアンテナポート（アンテナポート１６、１７）に関するＣＳＩ−ＲＳ構成情報である。
【０１４３】
ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるルックアップテーブルで、ＣＳＩ−ＲＳが使うリソースエレメント（ｋ，ｌ）とタイムスロットとが決まる。動作例３では、基地局２００は、例えばＣＳＩ  ｐｒｏｃｅｓｓ  ０のＣＳＩ−ＲＳ構成情報ではアンテナポートの数８とＣＳＩ  ｒｅｆｅｒｅｎｃｅ  Ｓｉｇｎａｌ  ｃｏｎｆｉｇｕｒａｔｉｏｎ  ０とを端末装置１００に通知する。アンテナポート１５〜２２が使用するリソースエレメント位置はそれぞれ（９，５），（９，５），（３，５），（３，５），（８，５），（８，５），（２，５），（２，５）となる。ＣＳＩ  ｐｒｏｃｅｓｓ  １のＣＳＩ−ＲＳ構成情報ではアンテナポートの数１とＣＳＩ  ｒｅｆｅｒｅｎｃｅ  Ｓｉｇｎａｌ  ｃｏｎｆｉｇｕｒａｔｉｏｎ  １０を通知し、アンテナポート１７が使用するリソースエレメント位置は（３，５）となる。
【０１４４】
基地局２００は、ＣＳＩ  ｐｒｏｃｅｓｓ  ２のＣＳＩ−ＲＳ構成情報では、アンテナポートの数１およびＣＳＩ  ｒｅｆｅｒｅｎｃｅ  Ｓｉｇｎａｌ  ｃｏｎｆｉｇｕｒａｔｉｏｎ  ０で構成されるＣＳＩ  ｒｅｆｅｒｅｎｃｅ  Ｓｉｇｎａｌ  ｃｏｎｆｉｇｕｒａｔｉｏｎと、アンテナポートの数１およびＣＳＩ  ｒｅｆｅｒｅｎｃｅ  Ｓｉｇｎａｌ  ｃｏｎｆｉｇｕｒａｔｉｏｎ  １０で構成されるＣＳＩ  ｒｅｆｅｒｅｎｃｅ  Ｓｉｇｎａｌ  ｃｏｎｆｉｇｕｒａｔｉｏｎと、の２つのＣＳＩ  ｒｅｆｅｒｅｎｃｅ  Ｓｉｇｎａｌ  ｃｏｎｆｉｇｕｒａｔｉｏｎを端末装置１００に通知する。アンテナポート１６、１７が使用するリソースエレメント位置はそれぞれ（９，５），（３，５）となる。
【０１４５】
このようにして動作例３では、基地局２００は、実際にｂｅａｍｆｏｒｍｅｄ  ＣＳＩ−ＲＳが送信される８つのアンテナポートのうち、端末装置１００ごとに適したアンテナポートのｂｅａｍｆｏｒｍｅｄ  ＣＳＩ−ＲＳの組み合わせを推測し、ＣＳＩ  ｐｒｏｃｅｓｓ情報としてそれぞれの端末装置１００にＲＲＣシグナリングで通知する。ＣＳＩ  ｐｒｏｃｅｓｓ  ２のようにＣＳＩ  ｐｒｏｃｅｓｓ情報に複数のＣＳＩ−ＲＳ構成情報が含まれている場合は、端末装置１００は複数のＣＳＩ−ＲＳ構成情報を統合した複数のアンテナポートで送信されるＣＳＩ−ＲＳについてＣＱＩ、ＰＭＩ、ＲＩを報告する。
【０１４６】
上述の例では、基地局２００は、選択したアンテナポートに関するＣＳＩ−ＲＳ構成情報の端末への通知方法として、１つまたは複数のＣＳＩ−ＲＳ構成情報で構成されるＣＳＩ  ｐｒｏｃｅｓｓ情報を端末装置１００に通知する方法を示した。基地局２００は、選択したアンテナポートに関するＣＳＩ−ＲＳ構成情報を、他にも例えば、ビームフォーミングされたＣＳＩ−ＲＳの全てアンテナポートの構成情報とアンテナポート選択情報とで構成しても良い。例えば基地局２００は、ＣＳＩ−ＲＳビーム２およびＣＳＩ−ＲＳビーム３を構成する２つのアンテナポート（アンテナポート１６、１７）に関するＣＳＩ−ＲＳ構成情報を、アンテナポートの数８およびＣＳＩ  ｒｅｆｅｒｅｎｃｅ  Ｓｉｇｎａｌ  ｃｏｎｆｉｇｕｒａｔｉｏｎ  ０であるＣＳＩ−ＲＳ構成情報と、８ビットのビットマップ（例えば０１１０００００）でアンテナポート１６、１７の選択を示すアンテナポート選択情報と、で構成しても良い。
【０１４７】
（基地局から端末へのＣＳＩ  ｒｅｑｕｅｓｔの通知）
チャネル状態報告のタイミングは、Ａｐｅｒｉｏｄｉｃ  ＣＳＩ  ｒｅｐｏｒｔｉｎｇ  の場合、例えばＰＤＣＣＨ上のＤＣＩ  ｆｏｒｍａｔ  ０  ａｎｄ  ４によるＣＳＩ  Ｒｅｑｕｅｓｔでトリガされる。例えば上述の表４のように、本実施形態では、ＣＳＩ  Ｒｅｑｕｅｓｔは、例えばｂｅａｍｆｏｒｍｅｄ  ＣＳＩ−ＲＳに対応するビットを追加して計３ビットとする。端末装置１００は、表４に示されたＣＳＩ  ｒｅｑｕｅｓｔの内容を確認し、最上位ビットが‘１’の場合にｂｅａｍｆｏｒｍｅｄ  ＣＳＩ−ＲＳに対するチャネル状態報告の要求であることを認識できる。端末装置１００は、さらに下位ビットで複数のＣＳＩ  ｐｒｏｃｅｓｓを判別できるようにする。
【０１４８】
（チャネル状態報告）
端末装置１００からのチャネル状態報告は、基地局２００からのＣＳＩ  Ｒｅｑｕｅｓｔの４サブフレーム後に、ＣＱＩ、ＰＭＩ、ＰＴＩ、ＲＩ、アンテナポートの選択情報をＵＣＩに含む形で行われる。
【０１４９】
端末装置１００に複数のＣＳＩ  ｐｒｏｃｅｓｓが割り当てられている場合には、端末装置１００は、ＣＳＩ  ｐｒｏｃｅｓｓごとにチャネル状態報告を行う。端末装置１００は、複数のＣＳＩ  ｐｒｏｃｅｓｓ情報のうち、適したアンテナポートで構成されるＣＳＩ  ｐｒｏｃｅｓｓ情報を選択してチャネル状態報告を行っても良く、受信できないアンテナポートに関するチャネル状態報告にはエラーコードを挿入して基地局２００に通知しても良い。
【０１５０】
ビームフォーミングされるＣＳＩ−ＲＳのレポート機能に対応しない端末装置（そのような端末装置のことを、以下では「レガシー端末」とも称する）も、基地局が端末に適したアンテナポートを推定して構成するＣＳＩ−ＲＳ構成情報を通知することによって、特別な動作の必要なくチャネル状態報告を行うことが可能となる。
【０１５１】
基地局２００は、複数のＣＳＩ  ｐｒｏｃｅｓｓ情報に、同じＣＳＩ−ＲＳ構成情報を重複して構成してもよい。また基地局２００は、端末装置１００ごとに最適なＣＳＩ  ｐｒｏｃｅｓｓ情報およびＣＳＩ−ＲＳ構成情報を通知するため、端末装置１００ごとに異なる構成のＣＳＩ  ｐｒｏｃｅｓｓ情報およびＣＳＩ−ＲＳ構成情報を通知してもよい。
【０１５２】
ＲＲＣ＿ＣＯＮＮＥＣＴＥＤ状態の端末装置１００がＤｉｓｃｏｖｅｒｙ  ｒｅｆｅｒｅｎｃｅ  ｓｉｇｎａｌとしてのｂｅａｍｆｏｒｍｅｄ  ＣＳＩ−ＲＳを検出し、ＣＳＩ−ＲＳＲＰ（ＣＳＩ  ｒｅｆｅｒｅｎｃｅ  ｓｉｇｎａｌ  ｒｅｃｅｉｖｅｄ  ｐｏｗｅｒ）を基地局２００に報告した場合に、基地局２００は、この端末装置１００が検出したビームに関するＣＳＩ−ＲＳ構成情報をその端末装置１００に通知しても良い。
【０１５３】
基地局２００は、端末装置１００からのチャネル状態報告にエラーコードが挿入されている場合や、基地局２００から端末装置１００に通知したＣＳＩ−ＲＳ構成情報を基に端末装置１００が測定し報告したＣＳＩ−ＲＳＲＰを参照し、端末装置１００に通知したＣＳＩ−ＲＳ構成情報が適正かどうかを判断しても良い。基地局２００は、端末装置１００に通知したＣＳＩ−ＲＳ構成情報が適正でない場合は、さらにＣＳＩ−ＲＳ構成情報を修正し、端末装置１００にとって最適な構成を生成することが可能となる。
【０１５４】
図２０は、本実施形態に係る基地局２００の動作例を示す流れ図である。図２０に示したのは、レガシー端末である端末装置１００へＣＳＩ  ｒｅｑｕｅｓｔを通知し、端末装置１００からＣＳＩ  Ｒｅｐｏｒｔを受信する際の、本実施形態に係る基地局２００の動作例である。以下、図２０を用いて本実施形態に係る基地局２００の動作例について説明する。
【０１５５】
基地局２００は、ＣＳＩ−ＲＳを送信しようとする端末装置１００が、ｂｅａｍｆｏｒｍｅｄ  ＣＳＩ−ＲＳのアンテナ選択に対応したものであるかどうかを判断する（ステップＳ２０１）。ステップＳ２０１の判断は、例えば制御部２５３が実行する。
【０１５６】
ステップＳ２０１の判断の結果、ＣＳＩ−ＲＳを送信しようとする端末装置１００が、ｂｅａｍｆｏｒｍｅｄ  ＣＳＩ−ＲＳのアンテナ選択に対応したものであれば（ステップＳ２０１、Ｙｅｓ）、基地局２００は、後述のｂｅａｍｆｏｒｍｅｄ  ＣＳＩ−ＲＳのアンテナ選択に対応した処理に移行する。
【０１５７】
一方、ステップＳ２０１の判断の結果、ＣＳＩ−ＲＳを送信しようとする端末装置１００が、ｂｅａｍｆｏｒｍｅｄ  ＣＳＩ−ＲＳのアンテナ選択に対応したものでなければ（ステップＳ２０１、Ｎｏ）、基地局２００は、選択したｂｅａｍｆｏｒｍｅｄ  ＣＳＩ−ＲＳのアンテナポートで構成されるＣＳＩ−ＲＳ構成情報（ＣＳＩ  ｐｒｏｃｅｓｓ  １）をその端末装置１００に通知する（ステップＳ２０２）。ステップＳ２０２の通知は、制御部２５３がアンテナ部２１０を通じて行う。
【０１５８】
上記ステップＳ２０２で、選択したｂｅａｍｆｏｒｍｅｄ  ＣＳＩ−ＲＳのアンテナポートで構成されるＣＳＩ−ＲＳ構成情報（ＣＳＩ  ｐｒｏｃｅｓｓ  １）を端末装置１００に通知すると、続いて基地局２００は、ＣＳＩ  ｐｒｏｃｅｓｓ  １に対するＣＳＩ  ｒｅｑｕｅｓｔをその端末装置１００に通知する（ステップＳ２０３）。ステップＳ２０３の通知は、制御部２５３がアンテナ部２１０を通じて行う。
【０１５９】
基地局２００は、ステップＳ２０３でＣＳＩ  ｐｒｏｃｅｓｓ  １に対するＣＳＩ  ｒｅｑｕｅｓｔをその端末装置１００に通知すると、続いてその端末装置１００からＣＳＩ  ｒｅｑｕｅｓｔに対するＣＳＩ  ｒｅｐｏｒｔを受信する（ステップＳ２０４）。
【０１６０】
そして基地局２００は、ステップＳ２０４でその端末装置１００からＣＳＩ  ｒｅｐｏｒｔを受信すると、その端末装置１００にとって最適なビームを選択しているかどうか判断する（ステップＳ２０５）。ステップＳ２０５の判断は制御部２５３が行う。
【０１６１】
上記ステップＳ２０５の判断の結果、その端末装置１００にとって最適なビームを選択していれば（ステップＳ２０５、Ｙｅｓ）、基地局２００は上記ステップＳ２０３のＣＳＩ  ｒｅｑｕｅｓｔの通知処理に戻る。一方、上記ステップＳ２０５の判断の結果、その端末装置１００にとって最適なビームを選択していなければ（ステップＳ２０５、Ｎｏ）、基地局２００は上記ステップＳ２０２のＣＳＩ−ＲＳ構成情報（ＣＳＩ  ｐｒｏｃｅｓｓ  １）の通知処理に戻る。
【０１６２】
基地局２００は、上述した一連の動作を実行することで、ＣＳＩ−ＲＳを送信しようとする端末装置１００が、ｂｅａｍｆｏｒｍｅｄ  ＣＳＩ−ＲＳのアンテナ選択に対応したものでなくても、端末装置１００にチャネル状態報告を行わせることが可能となる。
【０１６３】
（動作例４）CSI reporting modeの遷移によるチャネル状態報告
ＦＤ−ＭＩＭＯに対応した端末に通知するＣＳＩ  ｒｅｐｏｒｔｉｎｇ  ｍｏｄｅ（例えば表２参照）は、ＵＥ  ｓｅｌｅｃｔｅｄ  ｂｅａｍｆｏｒｍ  ｒｅｐｏｒｔｉｎｇ  ｍｏｄｅでも良く、ｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅでも良い。
【０１６４】
例えば、一度ＵＥ  ｓｅｌｅｃｔｅｄ  ｂｅａｍｆｏｒｍ  ｒｅｐｏｒｔｉｎｇ  ｍｏｄｅで端末装置１００がビーム選択を行った場合、端末装置１００は、次回以降はｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅに移行してもよい。モードを移行することで、端末装置１００は、ビーム選択処理を軽くしたり、オーバーヘッドを削減したりすることが可能となる。
【０１６５】
また例えば、ｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅに割り当てられていた端末装置１００からエラーコードが送られてきた場合に、基地局２００は、ＵＥ  ｓｅｌｅｃｔｅｄ  ｂｅａｍｆｏｒｍ  ｒｅｐｏｒｔｉｎｇ  ｍｏｄｅに移行することで、端末装置１００にビームの選択を再度実行させることも可能となる。
【０１６６】
図２１は、本実施形態に係る基地局２００の動作例を示す流れ図である。図２１に示したのは、レガシー端末では無い端末装置１００へＣＳＩ  ｒｅｑｕｅｓｔを通知し、端末装置１００からＣＳＩ  Ｒｅｐｏｒｔを受信する際の、本実施形態に係る基地局２００の動作例である。以下、図２１を用いて本実施形態に係る基地局２００の動作例について説明する。
【０１６７】
図２０のステップＳ２０１の判断の結果、端末装置１００がｂｅａｍｆｏｒｍｅｄ  ＣＳＩ−ＲＳのアンテナ選択に対応したものであれば、続いて基地局２００は、まずその端末装置１００に対し、ｒｅｐｏｒｔｉｎｇ  ｍｏｄｅとしてＵＥ  ｓｅｌｅｃｔｅｄ  ｂｅａｍｆｏｒｍ  ｒｅｐｏｒｔｉｎｇ  ｍｏｄｅを通知する（ステップＳ２１１）。ステップＳ２１１の通知は、制御部２５３がアンテナ部２１０を通じて行う。
【０１６８】
ステップＳ２１１でその端末装置１００にｒｅｐｏｒｔｉｎｇ  ｍｏｄｅを通知すると、続いて基地局２００は、全てのｂｅａｍｆｏｒｍｅｄ  ＣＳＩ−ＲＳのアンテナポートで構成されるＣＳＩ−ＲＳ構成情報（ＣＳＩ  ｐｒｏｃｅｓｓ  ０）をその端末装置１００に通知する（ステップＳ２１２）。ステップＳ２１２の通知は、制御部２５３がアンテナ部２１０を通じて行う。
【０１６９】
上記ステップＳ２１２で、全てのｂｅａｍｆｏｒｍｅｄ  ＣＳＩ−ＲＳのアンテナポートで構成されるＣＳＩ−ＲＳ構成情報（ＣＳＩ  ｐｒｏｃｅｓｓ  ０）を端末装置１００に通知すると、続いて基地局２００は、ＣＳＩ  ｐｒｏｃｅｓｓ  ０に対するＣＳＩ  ｒｅｑｕｅｓｔをその端末装置１００に通知する（ステップＳ２１３）。ステップＳ２１３の通知は、制御部２５３がアンテナ部２１０を通じて行う。
【０１７０】
基地局２００は、ステップＳ２１３でＣＳＩ  ｐｒｏｃｅｓｓ  ０に対するＣＳＩ  ｒｅｑｕｅｓｔをその端末装置１００に通知すると、続いてその端末装置１００からＣＳＩ  ｒｅｑｕｅｓｔに対するＣＳＩ  ｒｅｐｏｒｔを受信する（ステップＳ２１４）。
【０１７１】
基地局２００は、ステップＳ２１４で端末装置１００からＣＳＩ  ｒｅｑｕｅｓｔに対するＣＳＩ  ｒｅｐｏｒｔを受信すると、そのＣＳＩ  ｒｅｐｏｒｔにエラーコードが含まれているかどうか判断する（ステップＳ２１５）。ステップＳ２１５の判断は例えば制御部２５３が行う。
【０１７２】
ステップＳ２１５の判断の結果、ＣＳＩ  ｒｅｐｏｒｔにエラーコードが含まれていれば（ステップＳ２１５、Ｙｅｓ）、基地局２００は、上記ステップＳ２１１の、ｒｅｐｏｒｔｉｎｇ  ｍｏｄｅとしてＵＥ  ｓｅｌｅｃｔｅｄ  ｂｅａｍｆｏｒｍ  ｒｅｐｏｒｔｉｎｇ  ｍｏｄｅを端末装置１００に通知する処理に戻る。
【０１７３】
一方、ステップＳ２１５の判断の結果、ＣＳＩ  ｒｅｐｏｒｔにエラーコードが含まれていなければ（ステップＳ２１５、Ｎｏ）、続いて基地局２００は、そのＣＳＩ  ｒｅｐｏｒｔはＣＳＩ  ｐｒｏｃｅｓｓ  ０に対するものかどうか判断する（ステップＳ２１６）。ステップＳ２１６の判断は例えば制御部２５３が行う。
【０１７４】
ステップＳ２１６の判断の結果、ＣＳＩ  ｐｒｏｃｅｓｓ  ０に対するＣＳＩ  ｒｅｐｏｒｔであれば（ステップＳ２１６、Ｙｅｓ）、続いて基地局２００は、そのＣＳＩ  ｒｅｐｏｒｔにアンテナ選択情報が含まれているかどうか判断する（ステップＳ２１７）。ステップＳ２１７の判断は例えば制御部２５３が行う。
【０１７５】
ステップＳ２１７の判断の結果、そのＣＳＩ  ｒｅｐｏｒｔにアンテナ選択情報が含まれていなければ（ステップＳ２１７、Ｎｏ）、基地局２００は、上記ステップＳ２１３の、ＣＳＩ  ｐｒｏｃｅｓｓ  ０に対するＣＳＩ  ｒｅｑｕｅｓｔを端末装置１００に通知する処理に戻る。
【０１７６】
一方、ステップＳ２１７の判断の結果、そのＣＳＩ  ｒｅｐｏｒｔにアンテナ選択情報が含まれていれば（ステップＳ２１７、Ｙｅｓ）、続いて基地局２００は、その端末装置１００に対し、ｒｅｐｏｒｔｉｎｇ  ｍｏｄｅとしてｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅを通知する（ステップＳ２１８）。ステップＳ２１８の通知は、制御部２５３がアンテナ部２１０を通じて行う。
【０１７７】
ステップＳ２１８でその端末装置１００にｒｅｐｏｒｔｉｎｇ  ｍｏｄｅを通知すると、続いて基地局２００は、その端末装置１００が選択したｂｅａｍｆｏｒｍｅｄ  ＣＳＩ−ＲＳのアンテナポートで構成されるＣＳＩ−ＲＳ構成情報（ＣＳＩ  ｐｒｏｃｅｓｓ  １）をその端末装置１００に通知する（ステップＳ２１９）。ステップＳ２１９の通知は、制御部２５３がアンテナ部２１０を通じて行う。
【０１７８】
上記ステップＳ２１９で、その端末装置１００が選択したｂｅａｍｆｏｒｍｅｄ  ＣＳＩ−ＲＳのアンテナポートで構成されるＣＳＩ−ＲＳ構成情報（ＣＳＩ  ｐｒｏｃｅｓｓ  １）を端末装置１００に通知すると、続いて基地局２００は、ＣＳＩ  ｐｒｏｃｅｓｓ  １に対するＣＳＩ  ｒｅｑｕｅｓｔをその端末装置１００に通知する（ステップＳ２２０）。ステップＳ２２０の通知は、制御部２５３がアンテナ部２１０を通じて行う。
【０１７９】
基地局２００は、ステップＳ２２０でＣＳＩ  ｐｒｏｃｅｓｓ  １に対するＣＳＩ  ｒｅｑｕｅｓｔをその端末装置１００に通知すると、続いてその端末装置１００からＣＳＩ  ｒｅｑｕｅｓｔに対するＣＳＩ  ｒｅｐｏｒｔを受信する（ステップＳ２１４）。
【０１８０】
なお、上記ステップＳ２１６の判断の結果、ＣＳＩ  ｐｒｏｃｅｓｓ  ０に対するＣＳＩ  ｒｅｐｏｒｔでなければ（ステップＳ２１６、Ｎｏ）、続いて基地局２００は、上記ステップＳ２１９の、ＣＳＩ  ｐｒｏｃｅｓｓ  １に対するＣＳＩ  ｒｅｑｕｅｓｔを端末装置１００に通知する処理に戻る。
【０１８１】
ここまでは基地局２００の動作例を説明した。続いて端末装置１００の動作例を説明する。
【０１８２】
図２２Ａ及び図２２Ｂは、端末装置１００の動作例を示す流れ図である。図２２Ａ及び図２２Ｂに示したのは、基地局２００からｒｅｐｏｒｔｉｎｇ  ｍｏｄｅやＣＳＩ  ｐｒｏｃｅｓｓ情報を受信し、ＣＳＩ  ｒｅｐｏｒｔを基地局２００に送信する際の端末装置１００の動作例である。以下、図２２Ａ及び図２２Ｂを用いて端末装置１００の動作例について説明する。
【０１８３】
ＲＲＣ＿ＣＯＮＮＥＣＴＥＤ状態の端末装置１００は、基地局２００からＣＳＩのｒｅｐｏｒｔｉｎｇ  ｍｏｄｅを受信する（ステップＳ３０１）とともに、ＣＳＩ  ｐｒｏｃｅｓｓ情報及びｂｅａｍｆｏｒｍｅｄ  ＣＳＩ−ＲＳのアンテナポートで構成されるＣＳＩ−ＲＳ構成情報を受信する（ステップＳ３０２）。
【０１８４】
基地局２００からＣＳＩのｒｅｐｏｒｔｉｎｇ  ｍｏｄｅ、ＣＳＩ  ｐｒｏｃｅｓｓ情報及びｂｅａｍｆｏｒｍｅｄ  ＣＳＩ−ＲＳのアンテナポートで構成されるＣＳＩ−ＲＳ構成情報を受信した端末装置１００は、ｂｅａｍｆｏｒｍｅｄ  ＣＳＩ−ＲＳを測定する（ステップＳ３０３）。ステップＳ３０３の測定は例えば制御部１４３が実行する。
【０１８５】
ステップＳ３０３でｂｅａｍｆｏｒｍｅｄ  ＣＳＩ−ＲＳを測定すると、続いて端末装置１００は、上記ステップＳ３０１で受信したｒｅｐｏｒｔｉｎｇ  ｍｏｄｅが、ＵＥ  ｓｅｌｅｃｔｅｄ  ｂｅａｍｆｏｒｍ  ｒｅｐｏｒｔｉｎｇ  ｍｏｄｅと、ｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅのどちらであるか判断する（ステップＳ３０４）。ステップＳ３０４の判断は例えば制御部１４３が実行する。
【０１８６】
ステップＳ３０４の判断の結果、ｒｅｐｏｒｔｉｎｇ  ｍｏｄｅが、ＵＥ  ｓｅｌｅｃｔｅｄ  ｂｅａｍｆｏｒｍ  ｒｅｐｏｒｔｉｎｇ  ｍｏｄｅであれば、端末装置１００は、アンテナポートを選択してチャネル状態報告値を作成する（ステップＳ３０５）。ステップＳ３０５の作成は例えば制御部１４３が実行する。
【０１８７】
一方、ステップＳ３０４の判断の結果、ｒｅｐｏｒｔｉｎｇ  ｍｏｄｅが、ｈｉｇｈｅｒ  ｌａｙｅｒ  ｃｏｎｆｉｇｕｒｅｄ  ｂｅａｍｆｏｒｍ  ｒｅｐｏｒｔｉｎｇ  ｍｏｄｅであれば、端末装置１００はＣＳＩ  ｐｒｏｃｅｓｓ情報を選択し（ステップＳ３０６）、全てのアンテナポートに関するチャネル状態報告値を作成する（ステップＳ３０７）。ステップＳ３０６の選択及びステップＳ３０７の作成は例えば制御部１４３が実行する。
【０１８８】
続いて端末装置１００は、ｒｅｐｏｒｔｉｎｇ  ｍｏｄｅが、Ａｐｅｒｉｏｄｉｃ  ｒｅｐｏｒｔｉｎｇ  ｍｏｄｅかどうかを判断する（ステップＳ３０８）。ステップＳ３０８の判断は例えば制御部１４３が実行する。
【０１８９】
ステップＳ３０８の判断の結果、ｒｅｐｏｒｔｉｎｇ  ｍｏｄｅが、Ａｐｅｒｉｏｄｉｃ  ｒｅｐｏｒｔｉｎｇ  ｍｏｄｅであれば（ステップＳ３０８、Ｙｅｓ）、端末装置１００はＣＳＩ  ｒｅｑｕｅｓｔを受信したかどうかを判断する（ステップＳ３０９）。ステップＳ３０９の判断は例えば制御部１４３が実行する。
【０１９０】
上記ステップＳ３０９の判断の結果、ＣＳＩ  ｒｅｑｕｅｓｔを受信したと判断すると（ステップＳ３０９、Ｙｅｓ）、端末装置１００は４サブフレーム後にＣＳＩ  ｒｅｐｏｒｔを送信する（ステップＳ３１０）。ステップＳ３１０の送信は例えば制御部１４３がアンテナ部１１０を通じて行う。
【０１９１】
一方ステップＳ３０８の判断の結果、ｒｅｐｏｒｔｉｎｇ  ｍｏｄｅが、Ａｐｅｒｉｏｄｉｃ  ｒｅｐｏｒｔｉｎｇ  ｍｏｄｅでなければ（ステップＳ３０８、Ｎｏ）、すなわち、ｒｅｐｏｒｔｉｎｇ  ｍｏｄｅが、Ｐｅｒｉｏｄｉｃ  ｒｅｐｏｒｔｉｎｇ  ｍｏｄｅであれば、端末装置１００は、今のサブフレームがＣＳＩ  ｒｅｐｏｒｔの対象サブフレームかどうかを判断する（ステップＳ３１１）。ステップＳ３１１の判断は例えば制御部１４３が実行する。
【０１９２】
上記ステップＳ３１１の判断の結果、今のサブフレームがＣＳＩ  ｒｅｐｏｒｔの対象サブフレームであると判断すると（ステップＳ３１１、Ｙｅｓ）、端末装置１００はＣＳＩ  ｒｅｐｏｒｔを送信する（ステップＳ３１２）。ステップＳ３１２の送信は例えば制御部１４３がアンテナ部１１０を通じて行う。
【０１９３】
続いて端末装置１００は、基地局２００からのＲＲＣメッセージがあるかどうかを判断する（ステップＳ３１３）。ステップＳ３１３の判断は例えば制御部１４３が実行する。ステップＳ３１３の判断の結果、基地局２００からのＲＲＣメッセージがあると判断すると（ステップＳ３１３、Ｙｅｓ）、端末装置１００は、上記ステップＳ３０１のＣＳＩのｒｅｐｏｒｔｉｎｇ  ｍｏｄｅの受信処理に戻る。一方、ステップＳ３１３の判断の結果、基地局２００からのＲＲＣメッセージがないと判断すると（ステップＳ３１３、Ｎｏ）、端末装置１００は、上記ステップＳ３０３のｂｅａｍｆｏｒｍｅｄ  ＣＳＩ−ＲＳの測定処理に戻る。
【０１９４】
（動作例５）マクロセルからビームへのハンドオーバ
この動作例５では、図８に示したような、マクロセルから隣接セルでサービスされるビームへのハンドオーバ処理について説明する。
【０１９５】
基地局２００は、自ら送信するビームフォーミングされたＣＳＩ−ＲＳの構成情報と、隣接セルが送信するビームフォーミングされたＣＳＩ−ＲＳの構成情報と、をＲＲＣ＿ＣＯＮＮＥＣＴＥＤ状態の端末装置１００に通知する。端末装置１００は、定期的にＣＳＩ−ＲＳ構成情報で示されたサービングセルと、隣接セルのｂｅａｍｆｏｒｍｅｄ  ＣＳＩ−ＲＳの受信強度（ＣＳＩ−ＲＳＲＰ）と、を測定する。端末装置１００は、トリガイベントの条件を満たした場合に、その測定結果を基地局２００に報告する。基地局２００は、端末装置１００からの測定レポートからハンドオーバの基準を満たしていることを判断した場合に、隣接セルに対しハンドオーバ要求を通知する。
【０１９６】
（基地局から端末へのＣＳＩ  ｐｒｏｃｅｓｓ情報の通知）
基地局２００は、ＦＤ−ＭＩＭＯ対応の端末装置１００に対しＲＲＣシグナリングでＣＳＩ  ｐｒｏｃｅｓｓ情報を通知する。ＣＳＩ  ｐｒｏｃｅｓｓ情報には、基地局２００が送信するビームフォーミングされたＣＳＩ−ＲＳの構成情報（Ｎｏｎ−ｚｅｒｏ  Ｐｏｗｅｒ  ＣＳＩ−ＲＳ構成情報）、基地局２００がＣＳＩ−ＲＳの送信に使用しないリソースの構成情報（Ｚｅｒｏ  Ｐｏｗｅｒ  ＣＳＩ−ＲＳ構成情報）、隣接セルが送信するビームフォーミングされたＣＳＩ−ＲＳの構成情報（ＣＳＩ−ＩＭ構成情報）で構成される。
【０１９７】
端末装置１００は、隣接セルのＣＳＩ−ＲＳ構成情報を含んだＣＳＩ  ｐｒｏｃｅｓｓ情報を受け取ると、このＣＳＩ  ｐｒｏｃｅｓｓに対する測定を定期的に行う。端末装置１００は、トリガイベントの条件を満たした場合に、その測定の結果を基地局２００に報告する。基地局２００は、ビームフォーミングされたＣＳＩ−ＲＳを送信する隣接セルが複数ある場合に、複数のＣＳＩ  ｐｒｏｃｅｓｓ情報を端末装置１００に通知しても良いし、複数の隣接セルの情報をまとめた１つのＣＳＩ  ｐｒｏｃｅｓｓ情報を端末装置１００に通知しても良い。個々の端末装置１００によって位置やサービスを受けているビームが異なるため、端末装置１００ごとに通知されるＣＳＩ  ｐｒｏｃｅｓｓ情報は異なって良い。
【０１９８】
Ｎｏｎ−ｚｅｒｏ  Ｐｏｗｅｒ  ＣＳＩ−ＲＳ構成情報、Ｚｅｒｏ  Ｐｏｗｅｒ  ＣＳＩ−ＲＳ構成情報、ＣＳＩ−ＩＭ構成情報には、それぞれＡｎｔｅｎｎａ  ｐｏｒｔ  ｃｏｕｎｔ、ＣＳＩ  ｒｅｆｅｒｅｎｃｅ  Ｓｉｇｎａｌ  ｃｏｎｆｉｇｕｒａｔｉｏｎ、Ｓｕｂｆｒａｍｅ  ｃｏｎｆｉｇｕｒａｔｉｏｎ、ＣＳＩ−ＲＳ  ｃｏｎｆｉｇｕｒａｔｉｏｎ  ＩＤなどが含まれる。
【０１９９】
Ａｎｔｅｎｎａ  ｐｏｒｔ  ｃｏｕｎｔは、ＣＳＩ−ＲＳを構成するアンテナポートの数を示す。
【０２００】
ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるルックアップテーブルでＣＳＩ−ＲＳが使うリソースエレメント（ｋ，ｌ）とタイムスロットとが決まる。
【０２０１】
Ｓｕｂｆｒａｍｅ  ｃｏｎｆｉｇｕｒａｔｉｏｎは０〜１５４の値で示され、３ＧＰＰ  ＴＳ３６．２１１  ｔａｂｌｅ６．１０．５．３−１に規定されるルックアップテーブルでＣＳＩ−ＲＳ  ｐｅｒｉｏｄｉｃｉｔｙとＣＳＩ−ＲＳ  ｓｕｂｆｒａｍｅ  ｏｆｆｓｅｔとが与えられる。
【０２０２】
ＣＳＩ−ＲＳ  ｃｏｎｆｉｇｕｒａｔｉｏｎ  ＩＤは、ＣＳＩ−ＲＳ構成情報の識別に使用される。
【０２０３】
（端末によるＣＳＩ−ＲＳＲＰ、ＣＳＩ−ＲＳＲＱの測定）
端末装置１００は、従来の仕様に基づいてサービングセルおよび隣接セルから送信されるＣＲＳについてＲＳＲＰを定期的に測定する。さらに、ＦＤ−ＭＩＭＯ対応の端末装置１００は、Ｎｏｎ−ｚｅｒｏ  Ｐｏｗｅｒ  ＣＳＩ−ＲＳ構成情報に示されたリソース位置のＣＳＩ−ＲＳについてＣＳＩ−ＲＳＲＰ（帯域全体のリソースエレメントあたりの平均電力）を測定する。端末装置１００は、Ｎｏｎ−ｚｅｒｏ  Ｐｏｗｅｒ  ＣＳＩ−ＲＳ構成情報に示されたアンテナポートが複数の場合には、例えば受信電力が最大であるアンテナポートに関するＣＳＩ−ＲＳを測定する。これらの測定は制御部１４３が実行しうる。
【０２０４】
また端末装置１００は、例えばＣＳＩ−ＩＭ構成情報に示されたリソース位置のＣＳＩ−ＲＳについてのＣＳＩ−ＲＳＲＰ（ＣＳＩ−ＩＭ−ＲＳＲＰ）を測定する。端末装置１００は、ＣＳＩ−ＩＭ構成情報とＺｅｒｏ  Ｐｏｗｅｒ  ＣＳＩ−ＲＳ構成情報が重なったリソース位置のＣＳＩ−ＲＳについてＣＳＩ−ＩＭ−ＲＳＲＰを測定しても良い。隣接セルが送信するＣＳＩ−ＲＳの一部がＮｏｎ−ｚｅｒｏ  Ｐｏｗｅｒ  ＣＳＩ−ＲＳと重なっている場合に、端末装置１００は、ＣＳＩ−ＩＭ構成情報とＺｅｒｏ  Ｐｏｗｅｒ  ＣＳＩ−ＲＳ構成情報が重なったリソース位置では、隣接セルのＣＳＩ−ＲＳを正確に測定することができる。複数のＣＳＩ−ＩＭ構成情報が端末装置１００に通知されている場合には、端末装置１００は、一番受信強度の大きい隣接セルのＣＳＩ−ＲＳ構成情報についての受信電力が最大であるアンテナポートに関する測定値をＣＳＩ−ＩＭ−ＲＳＲＰとする。
【０２０５】
端末装置１００は、Ｎｏｎ−ｚｅｒｏ  Ｐｏｗｅｒ  ＣＳＩ−ＲＳ構成情報に示されたＣＳＩ−ＲＳのＣＳＩ−ＲＳＲＰとＣＳＩ−ＩＭ構成情報に示されたＣＳＩ−ＲＳのＣＳＩ−ＩＭ−ＲＳＲＰとから、ＣＳＩ  ｒｅｆｅｒｅｎｃｅ  ｓｉｇｎａｌ  ｒｅｃｅｉｖｅｄ  Ｑｕａｌｉｔｙ（ＣＳＩ−ＲＳＲＱ）を数式２のように求める。
【０２０６】
【数２】
2017050758.tif 000009
【０２０７】
上記ではＣＳＩ−ＲＳＲＰの測定について、受信電力が最大である１つのアンテナポートに関するＣＳＩ−ＲＳの測定値をＣＳＩ−ＲＳＲＰとする例を示した。他の方法として、例えば、ＣＳＩ−ＲＳ構成情報に示された複数のアンテナポートのうち一部の複数のアンテナポートを端末装置１００が選択する場合に、端末装置１００が選択するアンテナポートからのＣＳＩ−ＲＳ受信電力を最大とする重み係数を掛けることを想定して計算されたＣＳＩ−ＲＳのＲＳＲＰを、ＣＳＩ−ＲＳＲＰとしても良い。
【０２０８】
また例えば他の方法として、ＣＳＩ−ＩＭ構成情報に複数のアンテナポートが示され、端末装置１００によって隣接セルの複数のアンテナポートのＣＳＩ−ＲＳが検出される場合には、複数のＣＳＩ−ＲＳ受信電力を最大とする重み係数を掛けることを想定して計算されたＣＳＩ−ＲＳのＲＳＲＰを、ＣＳＩ−ＩＭ−ＲＳＲＰとしても良い。この場合も、複数のＣＳＩ−ＩＭ構成情報が端末装置１００に通知されている場合には、端末装置１００は、受信強度が最も大きい隣接セルのＣＳＩ−ＲＳ構成情報について、ＣＳＩ−ＩＭ−ＲＳＲＰを求める。
【０２０９】
（端末から基地局への測定レポートの送信）
端末装置１００が測定対象を測定し、取得した測定結果が例えばトリガイベントの条件を満たした場合に、端末装置１００は基地局２００へ測定レポートを送信する。測定対象としては、従来からあるサービングセルのＣＲＳのＲＳＲＰ及びＲＳＲＱ、並びに隣接セルのＣＲＳのＲＳＲＰ及びＲＳＲＱに加え、Ｎｏｎ−ｚｅｒｏ  Ｐｏｗｅｒ  ＣＳＩ−ＲＳ構成情報に示されたＣＳＩ−ＲＳのＣＳＩ−ＲＳＲＰ及びＣＳＩ−ＲＳＲＱ、並びに隣接セルが送信するＣＳＩ−ＲＳのＣＳＩ−ＩＭ−ＲＳＲＰがあり得る。この動作例５では、サービングセルの測定対象をサービングセルのＣＲＳのＲＳＲＰとし、隣接セルの測定対象を隣接セルが送信するＣＳＩ−ＲＳのＣＳＩ−ＩＭ−ＲＳＲＰとする、マクロセルからビームへのハンドオーバの例について示す。なお端末装置１００は、サービングセルのＣＲＳのＲＳＲＰまたはＲＳＲＱを該サービングセルの測定対象とし、ビームフォーミングされたＣＳＩ−ＲＳのＲＳＲＰまたはＲＳＲＱを隣接セルの測定対象としてもよい。
【０２１０】
トリガイベントは、例えば従来から規定されている以下の６つのイベントが使用される。
Ｅｖｅｎｔ  Ａ１：Ｓｅｒｖｉｎｇ  ｃｅｌｌ  ｂｅｃｏｍｅｓ  ｂｅｔｔｅｒ  ｔｈａｎ  ａ  ｔｈｒｅｓｈｏｌｄ
Ｅｖｅｎｔ  Ａ２：Ｓｅｒｖｉｎｇ  ｃｅｌｌ  ｂｅｃｏｍｅｓ  ｗｏｒｓｅ  ｔｈａｎ  ａ  ｔｈｒｅｓｈｏｌｄ
Ｅｖｅｎｔ  Ａ３：Ｎｅｉｇｈｂｏｕｒ  ｃｅｌｌ  ｂｅｃｏｍｅｓ  ｂｅｔｔｅｒ  ｔｈａｎ  ｔｈｅ  ｓｅｒｖｉｎｇ  ｃｅｌｌ  ｂｙ  ａｎ  ｏｆｆｓｅｔ
Ｅｖｅｎｔ  Ａ４：Ｎｅｉｇｈｂｏｕｒ  ｃｅｌｌ  ｂｅｃｏｍｅｓ  ｂｅｔｔｅｒ  ｔｈａｎ  ａ  ｔｈｒｅｓｈｏｌｄ
Ｅｖｅｎｔ  Ａ５：Ｓｅｒｖｉｎｇ  ｃｅｌｌ  ｂｅｃｏｍｅｓ  ｗｏｒｓｅ  ｔｈａｎ  ｔｈｒｅｓｈｏｌｄ１  ｗｈｉｌｅ  ｎｅｉｇｈｂｏｒｉｎｇ  ｃｅｌｌｓ  ｂｅｃｏｍｅｓ  ｂｅｔｔｅｒ  ｔｈａｎ  ｔｈｒｅｓｈｏｌｄ  ２
Ｅｖｅｎｔ  Ａ６：Ｎｅｉｇｈｂｏｕｒ  ｃｅｌｌ  ｂｅｃｏｍｅｓ  ｂｅｔｔｅｒ  ｔｈａｎ  ａ  ｓｅｃｏｎｄａｒｙ  ｃｅｌｌ  ｂｙ  ａｎ  ｏｆｆｓｅｔ
【０２１１】
この動作例５では、Ｅｖｅｎｔ  Ａ３を使用するマクロセルからビームへのハンドオーバの例について示す。
【０２１２】
Ｅｖｅｎｔ  Ａ３は、サービングセル測定値にオフセットを足したものよりも隣接セル測定値が大きくなった場合のトリガとなる。Ｅｎｔｅｒｉｎｇ  ｃｏｎｄｉｔｉｏｎとＬｅａｖｉｎｇ  ｃｏｎｄｉｔｉｏｎは以下のように規定されている。
【０２１３】
Ｉｎｅｑｕａｌｉｔｙ  Ａ３−１（Ｅｎｔｅｒｉｎｇ  ｃｏｎｄｉｔｉｏｎ）
Ｍｎ＋Ｏｆｎ＋Ｏｃｎ−Ｈｙｓ＞Ｍｐ＋Ｏｆｐ＋Ｏｃｐ＋Ｏｆｆ
【０２１４】
Ｉｎｅｑｕａｌｉｔｙ  Ａ３−２（Ｌｅａｖｉｎｇ  ｃｏｎｄｉｔｉｏｎ）
Ｍｎ＋Ｏｆｎ＋Ｏｃｎ＋Ｈｙｓ＜Ｍｐ＋Ｏｆｐ＋Ｏｃｐ＋Ｏｆｆ
【０２１５】
上記の２つの数式において、Ｍｎは隣接セルの測定値である。動作例５の場合、Ｍｎは隣接セルが送信するＣＳＩ−ＲＳのＣＳＩ−ＩＭ−ＲＳＲＰを示す。
【０２１６】
また、Ｏｆｎは隣接セルの周波数によって規定されるオフセット値を示す。
【０２１７】
また、Ｏｃｎはセルごとに決まる隣接セルのオフセット値を示す
【０２１８】
また、Ｍｐはサービングセルの測定値である。動作例５の場合、ＭｐはサービングセルのＣＲＳのＲＳＲＰを示す。
【０２１９】
また、Ｏｆｐはサービングセルの周波数によって規定されるオフセット値を示す。
【０２２０】
また、Ｏｃｐはセルごとに決まるサービングセルのオフセット値を示す。
【０２２１】
また、Ｈｙｓはこのイベントのヒステリシスを示す。
【０２２２】
また、Ｏｆｆはこのイベントのオフセットパラメータを示す。
【０２２３】
Ｍｎ、ＭｐはＲＳＲＰをｄＢｍの単位で、ＲＳＲＱをｄＢの単位で示している。Ｏｆｎ、Ｏｃｎ、Ｏｆｐ、Ｏｃｐ、Ｈｙｓ、ＯｆｆはｄＢの単位で示している。
【０２２４】
すなわち、サービングセルのＣＲＳのＲＳＲＰに予め決められたオフセット値を足した値より、隣接セルが送信するＣＳＩ−ＲＳのＣＳＩ−ＩＭ−ＲＳＲＰに予め決められたオフセット値を足した値が大きい場合に、端末装置１００は測定レポートを基地局２００に通知する。
【０２２５】
端末装置１００は、基地局２００へ通知する測定レポートに、例えば、測定レポートＩＤ、サービングセルの測定値としてＣＲＳのＲＳＲＰ、隣接セルの測定値として隣接セルが送信するＣＳＩ−ＲＳのＣＳＩ−ＩＭ−ＲＳＲＰ、隣接セルＩＤなどを含む。端末装置１００は、ＣＳＩ−ＲＳＲＰを測定対象とした測定レポートの場合には、隣接セルＩＤの代わりに、例えばＣＳＩ−ＲＳ  ｃｏｎｆｉｇｕｒａｔｉｏｎ  ＩＤを含んでも良い。
【０２２６】
基地局２００は、端末装置１００から通知される測定結果がハンドオーバ条件を満たしているかどうかを判定する。この判定は制御部２５３が実行しうる。基地局２００は、端末装置１００から通知される測定結果がハンドオーバ条件を満たしている場合に、ＣＳＩ−ＲＳ  ｃｏｎｆｉｇｕｒａｔｉｏｎ  ＩＤからターゲットセルを判別し、ターゲットセルに対してハンドオーバ要求を通知する。
【０２２７】
端末装置１００は、ＣＳＩ−ＩＭ−ＲＳＲＰとして、隣接セルの複数のアンテナポートからのＣＳＩ−ＲＳ受信電力を最大とする重み係数を掛けることを想定して計算されたＲＳＲＰを報告する場合は、測定レポートに、例えば端末装置１００が選択したアンテナポートの情報（例えばアンテナポート番号を示す情報）を含んでも良い。端末装置１００は、選択したアンテナポートの情報（例えばアンテナポート番号を示す情報）として、アンテナポート番号を列挙したものを基地局２００に通知しても良く、アンテナポート分のビットマップで選択したアンテナポートを示したものを基地局２００に通知しても良い。
【０２２８】
基地局２００は、複数のアンテナポートを使用してビームフォーミングされた複数のＣＳＩ−ＲＳを送信する。端末装置１００は、ＣＳＩ−ＲＳを検出してハンドオーバを希望する際、受信可能なＣＳＩ−ＲＳのアンテナポートを測定レポートに含めて基地局２００にレポートする。これにより、基地局２００は端末装置１００に適したアンテナポートを選択してＣＳＩ−ＲＳ構成情報を端末装置１００に通知できるようになる。
【０２２９】
（動作例６）ビームからビームへのハンドオーバ
この動作例６では、図９に示したような、サービングセルのビームから隣接セルでサービスされるビームへのハンドオーバ処理について説明する。
【０２３０】
この動作例６でも、動作例５と同様に、基地局２００は、自ら送信するビームフォーミングされたＣＳＩ−ＲＳの構成情報と、隣接セルが送信するビームフォーミングされたＣＳＩ−ＲＳの構成情報と、をＲＲＣ＿ＣＯＮＮＥＣＴＥＤ状態の端末装置１００に通知する。端末装置１００は、定期的にＣＳＩ−ＲＳ構成情報で示されたサービングセルと、隣接セルのｂｅａｍｆｏｒｍｅｄ  ＣＳＩ−ＲＳの受信強度（ＣＳＩ−ＲＳＲＰ）と、を測定する。端末装置１００は、トリガイベントの条件を満たした場合に、その測定結果を基地局２００に報告する。基地局２００は、端末装置１００からの測定レポートからハンドオーバの基準を満たしていることを判断した場合に、隣接セルに対しハンドオーバ要求を通知する。
【０２３１】
この動作例６では、基地局から端末へのＣＳＩ  ｐｒｏｃｅｓｓ情報の通知や、端末によるＣＳＩ−ＲＳＲＰ、ＣＳＩ−ＲＳＲＱの測定については動作例５と同様であり、詳細な説明は省略する。
【０２３２】
（端末から基地局への測定レポートの送信）
端末装置１００が測定対象を測定し、取得した測定結果が例えばトリガイベントの条件を満たした場合に、端末装置１００は基地局２００へ測定レポートを送信する。測定対象としては、従来からあるサービングセルのＣＲＳのＲＳＲＰ及びＲＳＲＱ、並びに隣接セルのＣＲＳのＲＳＲＰ及びＲＳＲＱに加えＮｏｎ−ｚｅｒｏ  Ｐｏｗｅｒ  ＣＳＩ−ＲＳ構成情報に示されたＣＳＩ−ＲＳのＣＳＩ−ＲＳＲＰ及びＣＳＩ−ＲＳＲＱ、並びに隣接セルが送信するＣＳＩ−ＲＳのＣＳＩ−ＩＭ−ＲＳＲＰがあり得る。動作例６では、サービングセルの測定対象をサービングセルのＣＳＩ−ＲＳのＣＳＩ−ＲＳＲＰとし、隣接セルの測定対象を隣接セルが送信するＣＳＩ−ＲＳのＣＳＩ−ＩＭ−ＲＳＲＰとする、Ｅｖｅｎｔ  Ａ３を使用するサービングセルのビームから隣接セルのビームへのハンドオーバの例について示す。
【０２３３】
Ｅｖｅｎｔ  Ａ３はサービングセル測定値にオフセットを足したものよりも隣接セル測定値が大きくなった場合のトリガとなる。Ｅｎｔｅｒｉｎｇ  ｃｏｎｄｉｔｉｏｎとＬｅａｖｉｎｇ  ｃｏｎｄｉｔｉｏｎは動作例５に示したものと同じである。サービングセルのＣＳＩ−ＲＳのＣＳＩ−ＲＳＲＰに予め決められたオフセット値を足した値より、隣接セルが送信するＣＳＩ−ＲＳのＣＳＩ−ＩＭ−ＲＳＲＰに予め決められたオフセット値を足した値が大きい場合に、端末装置１００は測定レポートを基地局２００に通知する。
【０２３４】
なお、この動作例６は、サービングセルの測定対象をサービングセルのＣＳＩ−ＲＳのＣＳＩ−ＲＳＲＰとし、隣接セルの測定対象を隣接セルが送信するＣＳＩ−ＲＳのＣＳＩ−ＩＭ−ＲＳＲＰとした、サービングセルのビームからビームへのハンドオーバの例であるが、端末装置１００は、隣接セルの測定対象をサービングセルのＣＲＳのＲＳＲＰまたは隣接セルのＣＲＳのＲＳＲＰとしても良い。この端末装置１００での測定結果がＥｖｅｎｔ  Ａ３の条件を満たした場合にはビームからサービングセルまたは隣接セルへのハンドオーバとなる。
【０２３５】
端末装置１００は、基地局２００へ通知する測定レポートに、例えば、測定レポートＩＤ、サービングセルの測定値としてＣＳＩ−ＲＳのＣＳＩ−ＲＳＲＰ、隣接セルの測定値として隣接セルが送信するＣＳＩ−ＲＳのＣＳＩ−ＩＭ−ＲＳＲＰ、隣接セルＩＤなどを含んでも良い。端末装置１００は、ＣＳＩ−ＲＳＲＰを測定対象とした測定レポートを基地局２００に通知する場合は、隣接セルＩＤの代わりに例えばＣＳＩ−ＲＳ  ｃｏｎｆｉｇｕｒａｔｉｏｎ  ＩＤを含んでも良い。基地局２００は、端末装置１００の測定結果がハンドオーバ条件を満たしている場合に、ＣＳＩ−ＲＳ  ｃｏｎｆｉｇｕｒａｔｉｏｎ  ＩＤからターゲットセルを判別し、ターゲットセルに対してハンドオーバ要求を通知する。
【０２３６】
（動作例７）ＣＳＩ−ＲＳＲＱの測定レポートによる干渉制御
ＦＤ−ＭＩＭＯではビルの高層階にビームを向けることが想定されている。図１０を用いて説明したように、同じビルに複数のセルから同じ周波数のＦＤ−ＭＩＭＯのビームが向けられている場合に、同じリソースを複数のビームで使用すると大きな干渉となる。この動作例７では、ＦＤ−ＭＩＭＯ対応の端末装置１００が、隣接セルから干渉になりそうな他のビームを検出した場合に、サービングセルに測定値を報告する。端末装置１００から測定値を受信した基地局２００は、干渉を生じるビーム間で同じリソースを使用しないよう隣接セルとの間でスケジューリングの調整を行うようにする。
【０２３７】
この動作例７では、基地局から端末へのＣＳＩ  ｐｒｏｃｅｓｓ情報の通知や、端末によるＣＳＩ−ＲＳＲＰ、ＣＳＩ−ＲＳＲＱの測定については動作例５と同様であり、詳細な説明は省略する。なお、数式２のＣＳＩ−ＲＳＲＱは実際の干渉レベルを測定しているのではない。しかし端末装置１００は、複数のビームがそれぞれ送信するリファレンスシグナルの強度を比較することで、干渉を予測することが可能になる。端末装置１００は、ＣＳＩ−ＲＳＲＱが予め定めた値より小さくなると、２つのビーム間で同じリソースが使用された場合に端末装置１００が干渉を受けることを想定することができる。
【０２３８】
ＣＳＩ−ＲＳＲＰの測定について、受信電力が最大である１つのアンテナポートに関するＣＳＩ−ＲＳの測定値をＣＳＩ−ＲＳＲＰとする例を示した。他の方法として、例えば、ＣＳＩ−ＲＳ構成情報に示された複数のアンテナポートのうち一部の複数のアンテナポートを端末装置１００が選択する場合に、端末装置１００が選択するアンテナポートからのＣＳＩ−ＲＳ受信電力を最大とする重み係数を掛けることを想定して計算されたＣＳＩ−ＲＳのＲＳＲＰを、ＣＳＩ−ＲＳＲＰとしても良い。
【０２３９】
また例えば他の方法として、ＣＳＩ−ＩＭ構成情報に複数のアンテナポートが示され、端末装置１００によって隣接セルの複数のアンテナポートのＣＳＩ−ＲＳが検出される場合には、複数のＣＳＩ−ＲＳ受信電力を最大とする重み係数を掛けることを想定して計算されたＣＳＩ−ＲＳのＲＳＲＰを、ＣＳＩ−ＩＭ−ＲＳＲＰとしても良い。この場合も、複数のＣＳＩ−ＩＭ構成情報が端末装置１００に通知されている場合には、端末装置１００は、受信強度が最も大きい隣接セルのＣＳＩ−ＲＳ構成情報について、ＣＳＩ−ＩＭ−ＲＳＲＰを求める。
【０２４０】
（端末から基地局への測定レポートの送信）
端末装置１００が測定対象を測定し、取得した測定結果が例えばトリガイベントの条件を満たした場合に、端末装置１００は基地局２００へ測定レポートを送信する。測定対象としては、従来からあるサービングセルのＣＲＳのＲＳＲＰ及びＲＳＲＱ、並びに隣接セルのＣＲＳのＲＳＲＰ及びＲＳＲＱに加え、Ｎｏｎ−ｚｅｒｏ  Ｐｏｗｅｒ  ＣＳＩ−ＲＳ構成情報に示されたＣＳＩ−ＲＳのＣＳＩ−ＲＳＲＰ及びＣＳＩ−ＲＳＲＱ、並びに隣接セルが送信するＣＳＩ−ＲＳのＣＳＩ−ＩＭ−ＲＳＲＰがあり得る。これらは、例えば制御部１４３が測定する。この動作例７では、サービングセルの測定対象をＣＳＩ−ＲＳのＣＳＩ−ＲＳＲＱとする、Ｅｖｅｎｔ  Ａ２を使用する測定レポートによる干渉制御の例について示す。
【０２４１】
Ｅｖｅｎｔ  Ａ２は、サービングセル測定値がスレッショルド値よりも小さくなった場合のトリガとなる。Ｅｎｔｅｒｉｎｇ  ｃｏｎｄｉｔｉｏｎとＬｅａｖｉｎｇ  ｃｏｎｄｉｔｉｏｎは以下のように規定されている。
【０２４２】
Ｉｎｅｑｕａｌｉｔｙ  Ａ２−１  （Ｅｎｔｅｒｉｎｇ  ｃｏｎｄｉｔｉｏｎ）
Ｍｓ＋Ｈｙｓ＜Ｔｈｒｅｓｈ
【０２４３】
Ｉｎｅｑｕａｌｉｔｙ  Ａ２−２  （Ｌｅａｖｉｎｇ  ｃｏｎｄｉｔｉｏｎ）
Ｍｓ−Ｈｙｓ＞Ｔｈｒｅｓｈ
【０２４４】
上記の２つの式において、Ｍｓはサービングセルの測定値を示す。動作例７の場合、ＭｓはサービングセルのＣＳＩ−ＲＳのＣＳＩ−ＲＳＲＱを示す。
【０２４５】
また、Ｈｙｓはこのイベントのヒステリシスを示す。
【０２４６】
また、Ｔｈｒｅｓｈはこのイベントのスレッショルド値を示す。
【０２４７】
また、Ｍｓは、ＲＳＲＰをｄＢｍの単位で、ＲＳＲＱをｄＢの単位で示している。Ｈｙｓは、ｄＢの単位で示している。ＴｈｒｅｓｈはＭｓと同じ単位で示している。
【０２４８】
サービングセルのＣＳＩ−ＲＳのＣＳＩ−ＲＳＲＱが予め決められたスレッショルド値よりも小さくなった場合、端末装置１００は、測定レポートを基地局に通知する。
【０２４９】
端末装置１００は、基地局２００へ通知する測定レポートに、例えば、測定レポートＩＤ、サービングセルの測定値としてＣＳＩ−ＲＳのＣＳＩ−ＲＳＲＱ、ＣＳＩ−ＲＳ  ｃｏｎｆｉｇｕｒａｔｉｏｎ  ＩＤなどを含みうる。端末装置１００は、ＣＳＩ−ＲＳＲＰを測定対象とした測定レポートの場合には、隣接セルＩＤの代わりに、例えばＣＳＩ−ＲＳ  ｃｏｎｆｉｇｕｒａｔｉｏｎ  ＩＤを含んでも良い。
【０２５０】
基地局２００は、端末装置１００から通知される測定レポートＩＤから、Ｅｖｅｎｔ  Ａ２によりトリガされた測定レポートであると、例えば制御部２５３で判断することができる。基地局２００は、サービングセルの測定値として、ＣＳＩ−ＲＳのＣＳＩ−ＲＳＲＱが端末装置１００から報告されていることから、ＣＳＩ−ＲＳ  ｃｏｎｆｉｇｕｒａｔｉｏｎ  ＩＤでＣＳＩ−ＲＳ構成情報を通知した隣接セルのビームからの干渉を端末装置１００が検出したことを知り得る。
【０２５１】
端末装置１００は、基地局２００へ通知する測定レポートに、例えば、端末装置１００が選択したアンテナポート番号を示す情報を含んでも良い。端末装置１００は、選択したアンテナポート番号を示す情報として、アンテナポート番号を列挙したものを基地局２００に通知しても良く、アンテナポート分のビットマップで選択したアンテナポートを示したものを基地局２００に通知しても良い。端末装置１００は、ＣＳＩ−ＲＳＲＱを劣化させている主な原因となった隣接セルのＣＳＩ−ＲＳのアンテナポートを報告することにより、基地局２００に適切に隣接セルのビームの干渉を制御させることができる。
【０２５２】
（基地局による干渉制御処理）
このようにして、基地局２００は端末に割り当てているビームと干渉を検出した同じ周波数の隣接セルのビーム間で同じリソースをしないよう、隣接の基地局２００との間で、Ｘ２インタフェースを使用したスケジューリング調整を、例えば制御部２５３で実行することができる。なお、Ｘ２インタフェースを使用したスケジューリング調整は特定の方法に限定されるものでは無い。
【０２５３】
＜２．応用例＞
本開示に係る技術は、様々な製品へ応用可能である。例えば、制御エンティティ３００は、タワーサーバ、ラックサーバ、又はブレードサーバなどのいずれかの種類のサーバとして実現されてもよい。また、制御エンティティ３００は、サーバに搭載される制御モジュール（例えば、１つのダイで構成される集積回路モジュール、又はブレードサーバのスロットに挿入されるカード若しくはブレード）であってもよい。
【０２５４】
また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。
【０２５５】
また、例えば、端末装置１００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置１００は、Ｍ２Ｍ（Machine  To  Machine）通信を行う端末（ＭＴＣ（Machine  Type  Communication）端末ともいう）として実現されてもよい。さらに、端末装置１００は、これら端末に搭載される無線通信モジュール（例えば、１つのダイで構成される集積回路モジュール）であってもよい。
【０２５６】
［２−１．制御エンティティに関する応用例］
図２３は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２５７】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２５８】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２５９】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２６０】
図２３に示したサーバ７００において、図１３を参照して説明した処理部３３０に含まれる１つ以上の構成要素（情報取得部３３１及び／又は制御部３３３）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０２６１】
［２−２．基地局に関する応用例］
（第１の応用例）
図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２６２】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０２６３】
基地局装置８２０は、コントローラ８２１、メモリ８２２、ネットワークインタフェース８２３及び無線通信インタフェース８２５を備える。
【０２６４】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２６５】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２６６】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２６７】
無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２６８】
（第２の応用例）
図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２６９】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０２７０】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０２７１】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２５に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０２７２】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２７３】
また、ＲＲＨ８６０は、接続インタフェース８６１及び無線通信インタフェース８６３を備える。
【０２７４】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２７５】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０２７６】
図２４及び図２５に示したｅＮＢ８００及びｅＮＢ８３０において、図１１を参照して説明した処理部２５０に含まれる１つ以上の構成要素（情報取得部２５１及び／又は制御部２５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２７７】
また、図２５に示したｅＮＢ８３０において、例えば、図１１を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０２７８】
［２−３．端末装置に関する応用例］
（第１の応用例）
図２６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２７９】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２８０】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２８１】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２６に示したように複数のＢＢプロセッサ９１３及び複数のＲＦ回路９１４を含んでもよい。なお、図２６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２８２】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２８３】
アンテナスイッチ９１５の各々は、無線通信インタフェース９１２に含まれる複数の回路（例えば、異なる無線通信方式のための回路）の間でアンテナ９１６の接続先を切り替える。
【０２８４】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２６に示したように複数のアンテナ９１６を有してもよい。なお、図２６にはスマートフォン９００が複数のアンテナ９１６を有する例を示したが、スマートフォン９００は単一のアンテナ９１６を有してもよい。
【０２８５】
さらに、スマートフォン９００は、無線通信方式ごとにアンテナ９１６を備えてもよい。その場合に、アンテナスイッチ９１５は、スマートフォン９００の構成から省略されてもよい。
【０２８６】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２６に示したスマートフォン９００の各ブロックへ電力を供給する。補助コントローラ９１９は、例えば、スリープモードにおいて、スマートフォン９００の必要最低限の機能を動作させる。
【０２８７】
図２６に示したスマートフォン９００において、図１０を参照して説明した処理部１４０に含まれる１つ以上の構成要素（情報取得部１４１及び／又は制御部１４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２８８】
また、図２６に示したスマートフォン９００において、例えば、図１０を参照して説明した無線通信部１２０は、無線通信インタフェース９１２（例えば、ＲＦ回路９１４）において実装されてもよい。また、アンテナ部１１０は、アンテナ９１６において実装されてもよい。
【０２８９】
（第２の応用例）
図２７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２９０】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２９１】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２９２】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２９３】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２７に示したように複数のＢＢプロセッサ９３４及び複数のＲＦ回路９３５を含んでもよい。なお、図２７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２９４】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２９５】
アンテナスイッチ９３６の各々は、無線通信インタフェース９３３に含まれる複数の回路（例えば、異なる無線通信方式のための回路）の間でアンテナ９３７の接続先を切り替える。
【０２９６】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２７に示したように複数のアンテナ９３７を有してもよい。なお、図２７はカーナビゲーション装置９２０が複数のアンテナ９３７を有する例を示したが、カーナビゲーション装置９２０は単一のアンテナ９３７を有してもよい。
【０２９７】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２９８】
バッテリー９３８は、図中に破線で部分的に示した給電ラインを介して、図２７に示したカーナビゲーション装置９２０の各ブロックへ電力を供給する。また、バッテリー９３８は、車両側から給電される電力を蓄積する。
【０２９９】
図２７に示したカーナビゲーション装置９２０において、図１０を参照して説明した処理部１４０に含まれる１つ以上の構成要素（情報取得部１４１及び／又は制御部１４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサ上記１つ以上の構成要素として機能させるためのプログラムが提供されてもよい。また、上記プログラムを記録した読み取り可能な記録媒体が提供されてもよい。
【０３００】
また、図２７に示したカーナビゲーション装置９２０において、例えば、図１０を参照して説明した無線通信部１２０は、無線通信インタフェース９３３（例えば、ＲＦ回路９３５）において実装されてもよい。また、アンテナ部１１０は、アンテナ９３７において実装されてもよい。
【０３０１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部１４０に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３０２】
＜３．まとめ＞
以上説明したように本開示の実施の形態によれば、リファレンス信号がビームフォーミングされることにより生じうる事象を解決し、リファレンス信号がビームフォーミングされる場合に通信処理を効率化することが可能となる。
【０３０３】
端末装置１００は、基地局２００からビームフォーミングされたリファレンス信号のアンテナポートのうち、一部のアンテナポートを選択し、選択したアンテナポートにおけるチャネルの状態を基地局２００へ報告するチャネル状態報告を生成する。
【０３０４】
基地局２００は、ビームフォーミングしたリファレンス信号の全てのアンテナポートのうち、一部のアンテナポートにおけるチャネルの状態を報告するチャネル状態報告を端末装置１００から取得し、端末装置１００へのダウンリンクデータを、端末装置１００で選択されたアンテナポートを使用してビームフォーミングする。
【０３０５】
端末装置１００は、一部のアンテナポートを選択し、選択したアンテナポートにおけるチャネルの状態を基地局２００へ報告するチャネル状態報告を生成することで、処理を軽減させることが出来る。また基地局２００は、端末装置１００へのダウンリンクデータを、端末装置１００で選択されたアンテナポートを使用してビームフォーミングすることで、端末装置１００での受信効率を向上させることが出来る。
【０３０６】
また端末装置１００は、基地局２００から送信されたリファレンス信号構成情報に関するリファレンス信号の受信電力または受信品質を含んだ測定を行い、所定のトリガイベントの条件を満たした場合に基地局２００に測定結果を送信する。
【０３０７】
また基地局２００は、自らがビームフォーミングしたリファレンス信号の構成情報と、隣接セルがビームフォーミングするリファレンス信号の構成情報とを、接続状態にある（基地局２００とＲＲＣ＿ＣＯＮＮＥＣＴＥＤ状態の）端末装置１００に通知する。
【０３０８】
基地局２００は、自らがビームフォーミングしたリファレンス信号の構成情報と、隣接セルがビームフォーミングするリファレンス信号の構成情報とを、接続状態にある端末装置１００に通知することで、端末装置１００に干渉の発生を検知させることが出来る。
【０３０９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３１０】
例えば、制御エンティティと基地局とが別々の装置である例を説明したが、本開示は係る例に限定されない。例えば、基地局の中に制御エンティティが実装されてもよい。
【０３１１】
また、例えば、本開示の実施形態では、通信システムがＬＴＥ又はＬＴＥ−Ａに準拠する例を説明したが、本開示は係る例に限定されない。例えば、通信システムは、別の通信規格に準拠したシステムであってもよい。
【０３１２】
また、本開示の実施の形態のＭＩＭＯ通信は、マルチユーザＭＩＭＯであってもよく、シングルユーザＭＩＭＯであってもよい。
【０３１３】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３１４】
また、本明細書の装置（例えば、端末装置、基地局もしくは制御エンティティ、又はそのモジュール）に備えられるプロセッサ（例えば、ＣＰＵ、ＤＳＰなど）を上記装置として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の１つ以上の構成要素（例えば、情報取得部及び／又は制御部など）の動作を含む方法も、本開示に係る技術に含まれる。
【０３１５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３１６】
なお、以下のような構成も本開示の技術的範囲に属する。
（１）
無線通信装置から複数のビームでビームフォーミングされたリファレンス信号のアンテナポートのうち、一部のアンテナポートを選択し、選択したアンテナポートにおけるチャネルの状態を前記無線通信装置へ報告するチャネル状態報告を生成する制御部を備える、端末装置。
（２）
前記制御部は、前記無線通信装置が複数のビームで送信するビームフォーミングされた前記リファレンス信号のアンテナポートのうち、一部のアンテナポートを選択し、選択したアンテナポートにおけるチャネル状態報告及びアンテナポート選択情報を前記無線通信装置に報告する、前記（１）に記載の端末装置。
（３）
前記制御部は、Uplink Control Information(UCI)を使用して前記アンテナポート選択情報を前記無線通信装置に報告する、前記（２）に記載の端末装置。
（４）
前記制御部は、RRC(Radio Resource Control)メッセージで前記アンテナポート選択情報を前記無線通信装置に報告する、前記（２）に記載の端末装置。
（５）
前記制御部は、前記無線通信装置で選択された前記アンテナポートに関するリファレンス信号構成情報の中からリファレンス信号構成情報を選択し、当該アンテナポートにおける前記チャネル状態報告を生成する、前記（１）に記載の端末装置。
（６）
前記制御部は、複数のリファレンス信号構成情報で構成されたプロセス情報を受信して、前記複数のリファレンス信号構成情報に示される複数のアンテナポートに関する１つの前記チャネル状態報告を生成する、前記（１）に記載の端末装置。
（７）
前記制御部は、前記無線通信装置からビームフォーミングされたリファレンス信号のレポートモードであることがRRCシグナリングで通知された場合に、選択したアンテナポートの前記チャネル状態報告を生成する、前記（１）に記載の端末装置。
（８）
前記制御部は、前記無線通信装置からビームフォーミングされたリファレンス信号のレポートモードであることをRRCシグナリングでの通知により判別し、選択したアンテナポートの前記チャネル状態報告を生成する、前記（１）に記載の端末装置。
（９）
複数のビームでビームフォーミングしたリファレンス信号の全てのアンテナポートのうち、一部のアンテナポートにおけるチャネルの状態を報告するチャネル状態報告を端末装置から取得し、前記端末装置へのダウンリンクデータを、前記端末装置で選択されたアンテナポートを使用してビームフォーミングする制御部を備える、無線通信装置。
（１０）
前記制御部は、前記アンテナポートに関するリファレンス信号構成情報の中から前記端末装置で選択されたアンテナポートにおける前記チャネル状態報告を前記端末装置から取得する、前記（９）に記載の無線通信装置。
（１１）
前記制御部は、前記端末装置ごとに一部の前記アンテナポートを選択し、選択した前記アンテナポートに関するリファレンス信号構成情報を前記端末装置に通知する、前記（９）に記載の無線通信装置。
（１２）
選択された前記アンテナポートに関する前記リファレンス信号構成情報は、ビームフォーミングされた前記リファレンス信号の全ての前記アンテナポートの構成情報と、前記制御部によるアンテナポートの選択情報とで構成される、前記（１１）に記載の無線通信装置。
（１３）
選択された前記アンテナポートに関する前記リファレンス信号構成情報は、複数の選択された前記アンテナポートに関するリファレンス信号構成情報である、前記（１１）に記載の無線通信装置。
（１４）
選択された前記アンテナポートに関する前記リファレンス信号構成情報は、複数の選択された前記アンテナポートに関するリファレンス信号構成情報で構成されたプロセス情報である、前記（１１）に記載の無線通信装置。
（１５）
前記制御部は、選択した前記アンテナポートに関するリファレンス信号構成情報を前記端末装置にRRCメッセージで通知する、前記（９）〜（１４）のいずれかに記載の無線通信装置。
（１６）
前記制御部は、ビームフォーミングされたリファレンス信号のレポートモードであることをRRCシグナリングで通知する、前記（９）〜（１４）のいずれかに記載の無線通信装置。
（１７）
複数のビームでリファレンス信号をビームフォーミングする無線通信装置から送信されたリファレンス信号構成情報に関するリファレンス信号の受信電力または受信品質を含んだ測定を行い、所定のトリガイベントの条件を満たした場合に前記無線通信装置に測定結果を送信する制御部を備える、端末装置。
（１８）
前記制御部は、前記リファレンス信号構成情報で構成されているアンテナポートから送信されるリファレンス信号の内、最大の受信電力を前記測定結果に含める、前記（１７）に記載の端末装置。
（１９）
前記制御部は、前記リファレンス信号構成情報で構成されているアンテナポートから送信されるリファレンス信号の内、選択したアンテナポートから送信されるリファレンス信号の受信電力を最大とする重み係数を掛けることを想定して計算した受信電力を前記測定結果に含める、前記（１７）に記載の端末装置。
（２０）
前記制御部は、前記選択したアンテナポートの情報を前記測定結果に含める、前記（１９）に記載の端末装置。
（２１）
前記制御部は、サービングセルのセル固有リファレンス信号の受信電力または受信品質を該サービングセルの測定対象とし、ゼロパワーではないリファレンス信号構成情報で通知されたリファレンス信号の受信電力または受信品質を隣接セルの測定対象とする、前記（１７）〜（２０）のいずれかに記載の端末装置。
（２２）
前記制御部は、サービングセルのセル固有リファレンス信号の受信電力または受信品質を該サービングセルの測定対象とし、ビームフォーミングされたリファレンス信号の受信電力または受信品質を隣接セルの測定対象とする、前記（１７）〜（２０）のいずれかにに記載の端末装置。
（２３）
前記制御部は、ゼロパワーではないリファレンス信号構成情報で通知されたリファレンス信号の受信電力または受信品質をサービングセルの測定対象とする、前記（１７）〜（２０）のいずれかに記載の端末装置。
（２４）
前記制御部は、サービングセルのセル固有リファレンス信号の受信電力または受信品質を隣接セルの測定対象とする、前記（２３）に記載の端末装置。
（２５）
前記制御部は、隣接セルのセル固有リファレンス信号の受信電力または受信品質を隣接セルの測定対象とする、前記（２３）に記載の端末装置。
（２６）
前記制御部は、ゼロパワーではないリファレンス信号構成情報で通知されたリファレンス信号の受信電力をサービングセルの測定対象とし、ゼロパワーのリファレンス信号構成情報または干渉計測構成情報で通知されたリファレンス信号の受信電力を隣接セルの測定対象とする、前記（１７）〜（２０）のいずれかに記載の端末装置。
（２７）
前記制御部は、ゼロパワーではないリファレンス信号構成情報で通知されたリファレンス信号の受信電力の測定値と、ゼロパワーのリファレンス信号構成情報または干渉計測構成情報で通知されたリファレンス信号の受信電力の測定値と、から前記受信品質を計算する、前記（１７）〜（２０）のいずれかに記載の端末装置。
（２８）
前記制御部は、リファレンス信号の構成ＩＤを前記測定結果に含める、前記（１７）〜（２７）のいずれかに記載の端末装置。
（２９）
自らが複数のビームでビームフォーミングしたリファレンス信号の構成情報と、隣接セルが複数のビームでビームフォーミングするリファレンス信号の構成情報とを、接続状態にある端末装置に通知する制御部を備える、無線通信装置。
（３０）
前記制御部は、自らがビームフォーミングしたリファレンス信号の構成情報をゼロパワーではないリファレンス信号構成情報で前記端末装置に通知し、隣接セルがビームフォーミングするリファレンス信号の構成情報をゼロパワーのリファレンス信号構成情報または干渉計測構成情報で前記端末装置に通知する、前記（２９）に記載の無線通信装置。
（３１）
前記制御部は、隣接セルがビームフォーミングするリファレンス信号に関する測定結果を前記端末装置から取得し、該端末装置に対するハンドオーバ処理を行う、前記（２９）または（３０）に記載の無線通信装置。
（３２）
前記制御部は、隣接セルがビームフォーミングするリファレンス信号に関する測定結果を前記端末装置から取得し、前記隣接セルとの間でスケジューリング調整処理を行う、前記（２９）または（３０）に記載の無線通信装置。
（３３）
無線通信装置から複数のビームでビームフォーミングされたリファレンス信号のアンテナポートのうち、一部のアンテナポートを選択し、選択したアンテナポートにおけるチャネルの状態を前記無線通信装置へ報告するチャネル状態報告を生成することを含む、方法。
（３４）
複数のビームでビームフォーミングしたリファレンス信号の全てのアンテナポートのうち、一部のアンテナポートにおけるチャネルの状態を報告するチャネル状態報告を端末装置から取得し、前記端末装置へのダウンリンクデータを、前記端末装置で選択されたアンテナポートを使用してビームフォーミングさせることを含む、方法。
（３５）
複数のビームでリファレンス信号をビームフォーミングする無線通信装置から複数のビームで送信されたリファレンス信号構成情報に関するリファレンス信号の受信電力または受信品質を含んだ測定を行い、所定のトリガイベントの条件を満たした場合に前記無線通信装置に測定結果を送信することを含む、方法。
（３６）
自らが複数のビームでビームフォーミングしたリファレンス信号の構成情報と、隣接セルが複数のビームでビームフォーミングするリファレンス信号の構成情報とを、接続状態にある端末装置に通知することを含む、方法。
（３７）
無線通信装置から複数のビームでビームフォーミングされたリファレンス信号のアンテナポートのうち、一部のアンテナポートを選択し、選択したアンテナポートにおけるチャネルの状態を前記無線通信装置へ報告するチャネル状態報告を生成することをコンピュータに実行させる、コンピュータプログラム。
（３８）
複数のビームでビームフォーミングしたリファレンス信号の全てのアンテナポートのうち、一部のアンテナポートにおけるチャネルの状態を報告するチャネル状態報告を端末装置から取得し、前記端末装置へのダウンリンクデータを、前記端末装置で選択されたアンテナポートを使用してビームフォーミングさせることをコンピュータに実行させる、コンピュータプログラム。
（３９）
複数のビームでリファレンス信号をビームフォーミングする無線通信装置から送信されたリファレンス信号構成情報に関するリファレンス信号の受信電力または受信品質を含んだ測定を行い、所定のトリガイベントの条件を満たした場合に前記無線通信装置に測定結果を送信することをコンピュータに実行させる、コンピュータプログラム。
（４０）
自らが複数のビームでビームフォーミングしたリファレンス信号の構成情報と、隣接セルが複数のビームでビームフォーミングするリファレンス信号の構成情報とを、接続状態にある端末装置に通知することをコンピュータに実行させる、コンピュータプログラム。
【符号の説明】
【０３１７】
１        通信システム
１００    端末装置
２００    基地局
３００    制御エンティティ
【図１】
2017050758.tif 000010
【図２】
2017050758.tif 000011
【図３】
2017050758.tif 000012
【図４】
2017050758.tif 000013
【図５】
2017050758.tif 000014
【図６】
2017050758.tif 000015
【図７】
2017050758.tif 000016
【図８】
2017050758.tif 000017
【図９】
2017050758.tif 000018
【図１０】
2017050758.tif 000019
【図１１】
2017050758.tif 000020
【図１２】
2017050758.tif 000021
【図１３】
2017050758.tif 000022
【図１４】
2017050758.tif 000023
【図１５】
2017050758.tif 000024
【図１６】
2017050758.tif 000025
【図１７】
2017050758.tif 000026
【図１８】
2017050758.tif 000027
【図１９】
2017050758.tif 000028
【図２０】
2017050758.tif 000029
【図２１】
2017050758.tif 000030
【図２２Ａ】
2017050758.tif 000031
【図２２Ｂ】
2017050758.tif 000032
【図２３】
2017050758.tif 000033
【図２４】
2017050758.tif 000034
【図２５】
2017050758.tif 000035
【図２６】
2017050758.tif 000036
【図２７】
2017050758.tif 000037